(57)【要約】  ワイヤレスデバイス（１１０）による方法が、無線リンクモニタリング（ＲＬＭ）及びビームモニタリングの最適化された再設定のために提供される。本方法は、少なくとも１つのＲＬＭパラメータを含む第１のメッセージを、第１のネットワークノード（１６０）から受信することを含む。第１のメッセージと関連する少なくとも１つのＲＬＭパラメータのアクティブ化を指示する第２のメッセージが、受信される。第２のメッセージは、第１のメッセージと比較して下位レイヤ信号である。【選択図】図２３
2021514124.tif 000002
【特許請求の範囲】
【請求項１】
無線リンクモニタリング（ＲＬＭ）及びビームモニタリングの最適化された再設定のためのワイヤレスデバイス（１１０）によって実行される方法であって、
少なくとも１つのＲＬＭパラメータを含む第１のメッセージを、第１のネットワークノード（１６０）から受信することと、
前記第１のメッセージに関連する少なくとも１つのＲＬＭパラメータのアクティブ化を指示する第２のメッセージを、前記第１のネットワークノードから受信することであり、前記第２のメッセージは、前記第１のメッセージと比較して下位レイヤ信号である、ことと
を含む、方法。
【請求項２】
前記第１のメッセージが、無線リソース制御（ＲＲＣ）信号として受信され、前記第２のメッセージが、媒体アクセス制御（ＭＡＣ）制御要素として受信される、請求項１に記載の方法。
【請求項３】
前記少なくとも１つのＲＬＭパラメータが、第１のＲＬＭパラメータ及び第２のＲＬＭパラメータを含み、
前記第１のＲＬＭパラメータが、第１のセットの参照信号リソースに関連しており、
前記第２のＲＬＭパラメータが、第２のセットの参照信号リソースに関連しており、
前記第２のセットの参照信号リソースが、前記第１のセットの参照信号リソースとは異なる、請求項１又は２に記載の方法。
【請求項４】
前記第１のセットの参照信号リソース及び前記第２のセットの参照信号リソースのそれぞれが、セルのカバレッジを提供するいくつかの参照信号リソースより少ない、請求項３に記載の方法。
【請求項５】
前記第２のメッセージに基づいて少なくとも１つの参照信号リソースのＲＬＭを実行すること
をさらに含み、
前記少なくとも１つの参照信号リソースが、少なくとも１つの同期信号ブロック（ＳＳＢ）又は少なくとも１つのチャンネル状態情報−参照信号（ＣＳＩ−ＲＳ）を含む、
請求項１から４のいずれか一項に記載の方法。
【請求項６】
前記第２のメッセージを受信したことに応答して、前記第１のセットの参照信号リソース内の少なくとも１つの参照信号リソースを非アクティブ化すること
をさらに含む、請求項３から５のいずれか一項に記載の方法。
【請求項７】
前記第２のメッセージを受信したことに応答して、前記第１のセットの参照信号リソース内にない少なくとも１つの参照信号リソースをアクティブ化すること
をさらに含む、請求項３から６のいずれか一項に記載の方法。
【請求項８】
前記第１のメッセージが、参照信号タイプを識別し、
前記第２のメッセージが、前記参照信号タイプの１つ又は複数の参照信号リソースを識別する、請求項１又は２に記載の方法。
【請求項９】
無線リンクモニタリング（ＲＬＭ）及びビームモニタリングの最適化された再設定のためのワイヤレスデバイス（１１０）であって、
命令を記憶するメモリ（１３０）と、
少なくとも１つのＲＬＭパラメータを含む第１のメッセージを、第１のネットワークノード（１６０）から受信すること、及び
前記第１のメッセージに関連する少なくとも１つのＲＬＭパラメータのアクティブ化を指示する第２のメッセージを、前記第１のネットワークノードから受信することであり、前記第２のメッセージは、前記第１のメッセージと比較して下位レイヤ信号である、こと
を前記ワイヤレスデバイスに行わせるために前記命令を実行するように動作可能な処理回路（１２０）と
を備えた、ワイヤレスデバイス。
【請求項１０】
前記第１のメッセージが、無線リソース制御（ＲＲＣ）信号として受信され、前記第２のメッセージが、媒体アクセス制御（ＭＡＣ）制御要素として受信される、請求項９に記載のワイヤレスデバイス。
【請求項１１】
前記少なくとも１つのＲＬＭパラメータが、第１のＲＬＭパラメータ及び第２のＲＬＭパラメータを含み、
前記第１のＲＬＭパラメータが、第１のセットの参照信号リソースに関連しており、
前記第２のＲＬＭパラメータが、第２のセットの参照信号リソースに関連しており、
前記第２のセットの参照信号リソースは、第１のセットの参照信号リソースとは異なる、
請求項９又は１０に記載のワイヤレスデバイス。
【請求項１２】
前記第１のセットの参照信号リソース及び前記第２のセットの参照信号リソースのそれぞれが、セルのカバレッジを提供するいくつかの参照信号リソースより少ない、請求項１１に記載のワイヤレスデバイス。
【請求項１３】
前記処理回路が、
前記第２のメッセージに基づいて少なくとも１つの参照信号リソースのＲＬＭを実行すること
を前記ワイヤレスデバイスに行わせるために前記命令を実行するように動作可能であり、
前記少なくとも１つの参照信号リソースが、少なくとも１つの同期信号ブロック（ＳＳＢ）又は少なくとも１つのチャンネル状態情報−参照信号（ＣＳＩ−ＲＳ）を含む、請求項９から１２のいずれか一項に記載のワイヤレスデバイス。
【請求項１４】
前記処理回路が、
前記第２のメッセージを受信したことに応答して、前記第１のセットの参照信号リソース内の少なくとも１つの参照信号リソースを非アクティブ化すること
を前記ワイヤレスデバイスに行わせるために前記命令を実行するように動作可能である、請求項１１から１３のいずれか一項に記載のワイヤレスデバイス。
【請求項１５】
前記処理回路が、
前記第２のメッセージを受信したことに応答して、前記第１のセットの参照信号リソース内にない少なくとも１つの参照信号リソースをアクティブ化すること
を前記ワイヤレスデバイスに行わせるために前記命令を実行するように動作可能である、請求項１１から１４のいずれか一項に記載のワイヤレスデバイス。
【請求項１６】
前記第１のメッセージが、参照信号タイプを識別し、
前記第２のメッセージが、前記参照信号タイプの１つ又は複数の参照信号リソースを識別する、
請求項９又は１０に記載のワイヤレスデバイス。
【請求項１７】
無線リンクモニタリング（ＲＬＭ）及びビームモニタリングの最適化された再設定のためのネットワークノード（１６０）によって実行される方法であって、
少なくとも１つのＲＬＭパラメータを含む第１のメッセージを、ワイヤレスデバイス（１１０）に送ることと、
前記第１のメッセージに関連する少なくとも１つのＲＬＭパラメータのアクティブ化を指示する第２のメッセージを、前記ワイヤレスデバイスに送ることであり、前記第２のメッセージは、前記第１のメッセージと比較して下位レイヤ信号である、ことと
を含む、方法。
【請求項１８】
前記第１のメッセージが、無線リソース制御（ＲＲＣ）信号として送られ、前記第２のメッセージが、媒体アクセス制御（ＭＡＣ）制御要素として送られる、請求項１７に記載の方法。
【請求項１９】
前記少なくとも１つのＲＬＭパラメータが、少なくとも１つの同期信号ブロック（ＳＳＢ）又は少なくとも１つのチャンネル状態情報−参照信号（ＣＳＩ−ＲＳ）に関連している、請求項１７又は１８に記載の方法。
【請求項２０】
前記第２のメッセージが、前記ワイヤレスデバイスはセル内で移動したという判定に応答して、前記ワイヤレスデバイスに送られる、請求項１７から１９のいずれか一項に記載の方法。
【請求項２１】
前記第１のメッセージが、参照信号タイプを識別し、
前記第２のメッセージが、前記参照信号タイプの１つ又は複数の参照信号リソースを識別する、
請求項１７から２０のいずれか一項に記載の方法。
【請求項２２】
前記少なくとも１つのＲＬＭパラメータが、第１のＲＬＭパラメータ及び第２のＲＬＭパラメータを含み、
前記第１のＲＬＭパラメータが、第１のセットの参照信号リソースに関連しており、
前記第２のＲＬＭパラメータが、第２のセットの参照信号リソースに関連しており、
前記第２のセットの参照信号リソースが、前記第１のセットの参照信号リソースとは異なる、
請求項１７から２０のいずれか一項に記載の方法。
【請求項２３】
前記第１のセットの参照信号リソース及び前記第２のセットの参照信号リソースのそれぞれが、セルのカバレッジを提供するいくつかの参照信号リソースより少ない、請求項２２に記載の方法。
【請求項２４】
無線リンクモニタリング（ＲＬＭ）及びビームモニタリングの最適化された再設定のためのネットワークノード（１６０）であって、
命令を記憶するメモリ（１８０）と、
少なくとも１つのＲＬＭパラメータを含む第１のメッセージを、ワイヤレスデバイス（１１０）に送ること、及び
前記第１のメッセージに関連する少なくとも１つのＲＬＭパラメータのアクティブ化を指示する第２のメッセージを、前記ワイヤレスデバイスに送ることであり、前記第２のメッセージは、前記第１のメッセージと比較して下位レイヤ信号である、こと
を前記ネットワークノードに行わせるために前記命令を実行するように動作可能な処理回路（１７０）と
を備える、ネットワークノード。
【請求項２５】
前記第１のメッセージが、無線リソース制御（ＲＲＣ）信号として送られ、前記第２のメッセージが、媒体アクセス制御（ＭＡＣ）制御要素として送られる、請求項２４に記載のネットワークノード。
【請求項２６】
前記少なくとも１つのＲＬＭパラメータが、少なくとも１つの同期信号ブロック（ＳＳＢ）又は少なくとも１つのチャンネル状態情報−参照信号（ＣＳＩ−ＲＳ）に関連している、請求項２４又は２５に記載のネットワークノード。
【請求項２７】
前記第２のメッセージが、前記ワイヤレスデバイスはセル内で移動したという判定に応答して、前記ワイヤレスデバイスに送られる、請求項２４から２６のいずれか一項に記載のネットワークノード。
【請求項２８】
前記第１のメッセージが、参照信号タイプを識別し、
前記第２のメッセージが、前記参照信号タイプの１つ又は複数の参照信号リソースを識別する、
請求項２４から２７のいずれか一項に記載のネットワークノード。
【請求項２９】
前記少なくとも１つのＲＬＭパラメータが、第１のＲＬＭパラメータ及び第２のＲＬＭパラメータを含み、
前記第１のＲＬＭパラメータが、第１のセットの参照信号リソースに関連しており、
前記第２のＲＬＭパラメータが、第２のセットの参照信号リソースに関連しており、
前記第２のセットの参照信号リソースが、前記第１のセットの参照信号リソースとは異なる、
請求項１７から２７のいずれか一項に記載のネットワークノード。
【請求項３０】
前記第１のセットの参照信号リソース及び前記第２のセットの参照信号リソースのそれぞれが、セルのカバレッジを提供するいくつかの参照信号リソースより少ない、請求項２９に記載のネットワークノード。
【発明の詳細な説明】
【背景技術】
【０００１】
ＵＥにおけるＲＬＭ機能の目的は、ＲＲＣ＿ＣＯＮＮＥＣＴＥＤ状態におけるサービングセルのダウンリンク無線リンク品質をモニタすることであり、所与のＬＴＥセルと常に関連付けられた及び物理セル識別子（ＰＣＩ：Ｐｈｙｓｉｃａｌ  Ｃｅｌｌ  Ｉｄｅｎｔｉｆｉｅｒ）から導出される、セル特有の参照信号（ＣＲＳ：Ｓｐｅｃｉｆｉｃ  Ｒｅｆｅｒｅｎｃｅ  Ｓｉｇｎａｌ）に基づく。これは、次に、ＵＥが、ＲＲＣ＿ＣＯＮＮＥＣＴＥＤ状態にあるときに、それがそれのサービングセルに関して同期しているか同期していないかを判定することを可能にする。
【０００２】
ダウンリンク無線リンク品質のＵＥの見積が、ＲＬＭを目的として、それぞれＱｏｕｔ及びＱｉｎと称され得る、同期外れ（ＯＯＳ：ｏｕｔ−ｏｆ−ｓｙｎｃ）閾値及び同期中（ＩＳ：ｉｎ−ｓｙｎｃ）閾値と比較される。これらの閾値は、サービングセルからの仮説的物理ダウンリンク制御チャンネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）送信のブロック誤り率（ＢＬＥＲ：Ｂｌｏｃｋ  Ｅｒｒｏｒ  Ｒａｔｅ）に関して表される。具体的に、Ｑｏｕｔは、１０％ＢＬＥＲに対応し、一方、Ｑｉｎは２％ＢＬＥＲに対応する。同じ閾値レベルが、ＤＲＸを有して及び有さず、適用可能である。
【０００３】
ＣＲＳベースのダウンリンク品質と仮説的ＰＤＣＣＨ  ＢＬＥＲとの間のマッピングは、ＵＥ実装形態による。しかしながら、パフォーマンスは、様々な環境のために規定される適合性試験によって検証される。また、ＰＤＣＣＨがダウンリンク送信帯域幅全体のどこかにスケジュールされ得ることを示す、図１に示された、ＰＤＣＣＨがスケジュールされようとしている場所をＵＥは必ずしも知らないので、ダウンリンク品質は、帯域全体でＣＲＳのＲＳＲＰに基づいて計算される。
【０００４】
ＤＲＸが、設定されない場合、最後の２００ｍｓ期間にわたって見積もられたダウンリンク無線リンク品質が、閾値Ｑｏｕｔよりも悪くなるとき、ＯＯＳが生じる。同様に、最後の１００ｍｓ期間にわたって見積もられたダウンリンク無線リンク品質が、閾値Ｑｉｎよりも良くなるとき、ＤＲＸなしに、ＩＳは生じる。同期外れを検出したとき、ＵＥは、同期中の評価を開始する。
【０００５】
ＲＬＦ機能性における重大な問題は、ＲＲＣ＿ＣＯＮＮＥＣＴＥＤにある間にネットワークによって達することができないそれが検出したときのＵＥ自律アクションを制御するためにＲＬＭからの内部で生成されたＩＳ／ＯＯＳイベントを上位レイヤがどのように使用するかである。
【０００６】
ＬＴＥにおいて、ＯＯＳ及びＩＳイベントの発生は、無線リンク故障（ＲＬＦ：Ｒａｄｉｏ  Ｌｉｎｋ  Ｆａｉｌｕｒｅ）の評価のためにＲＲＣ／レイヤ３（すなわち、上位レイヤ）フィルタリングを次に適用することができる、その上位レイヤにＵＥの物理レイヤによって内部で報告される。図２は、ＬＴＥにおける上位レイヤＲＬＭ手続きを示す。
【０００７】
ＲＬＦに関する詳細ＵＥアクションは、ＲＲＣ仕様書（３８．３３１）に保存される。
【０００８】
ＮＲについて、１００ＧＨｚまでの周波数範囲が考慮される。６ＧＨｚを超える高周波数無線通信は、重大なパスロス及び侵入ロスを被る。したがって、ＮＲのためのマッシブＭＩＭＯ方式が、考慮される。
【０００９】
マッシブＭＩＭＯでは、ビーム形成の３つの手法が論じられる：アナログ、デジタル、及びハイブリッド（その２つの組合せ）。図３は、ハイブリッドビーム形成の例示的図を示す。ビーム形成は、送信ビーム及び／又は受信ビーム、ネットワーク側又はＵＥ側についてでもよい。
【００１０】
サブアレイのアナログビームは、各ＯＦＤＭシンボルで単一方向に向けて誘導され得、したがって、サブアレイの数は、ビーム方向の数及び各ＯＦＤＭシンボルの対応するカバレッジを決定する。しかしながら、サービングエリア全体をカバーするためのビームの数は、通常は、個々のビーム幅が狭いときには特に、サブアレイの数より大きい。したがって、サービングエリア全体をカバーするために、タイムドメインにおいて異なって誘導される狭いビームでの多重伝送もまた、必要とされる見込みがある。これを目的とする複数の狭いカバレッジビームの提供は、「ビーム掃引」と呼ばれる。アナログ及びハイブリッドビーム形成のために、ビーム掃引は、ＮＲにおける基本的カバレッジの提供に必須であるように思われる。これを目的として、異なって誘導されるビームがサブアレイを介して送信され得る、複数のＯＦＤＭシンボルが、割り当てられ得、定期的に送信され得る。
【００１１】
図４Ａは、２サブアレイでのＴＸビーム掃引を示す。
【００１２】
図４Ｂは、３サブアレイでのＴＸビーム掃引を示す。
【００１３】
ＳＳブロック及びＳＳバースト設定が、ここで説明される。ＳＳブロックに含まれる信号は、周波数内、周波数間及びＲＡＴ間（すなわち、別のＲＡＴからのＮＲ測定）を含む、ＮＲキャリアの測定のために使用され得る。
【００１４】
ＳＳＢ、ＮＲ−ＰＳＳ、ＮＲ−ＳＳＳ及び／又はＮＲ−ＰＢＣＨは、ＳＳ／ＰＢＣＨブロックとも称され得る、ＳＳブロック内で送信され得る。所与の周波数帯域について、ＳＳブロックは、１つのサブキャリア間隔（たとえば、デフォルト又は設定された）に基づくＮ  ＯＦＤＭシンボルに対応し、Ｎは定数である。ＵＥは、少なくともＯＦＤＭシンボルインデックス、無線フレームにおけるスロットインデックス及びＳＳブロックからの無線フレーム番号を識別することができることになる。可能なＳＳブロック時間位置（たとえば、無線フレームに関する又はＳＳバーストセットに関する）の単一セットが、周波数帯域ごとに指定される。少なくともマルチビームの場合、ＳＳブロックの少なくとも時間インデックスが、ＵＥに対して指示される。実際に送信されるＳＳブロックの場所が、接続／アイドルモード測定を助けるために、接続モードＵＥのＤＬデータの受信／未使用のＳＳブロックにおける制御を助けるために、及び、潜在的に、アイドルモードＵＥのＤＬデータの受信／未使用のＳＳブロックにおける制御を助けるために、通知され得る。異なる周波数範囲のＳＳバーストセット内のＳＳブロックの最大数、Ｌは：
・３ＧＨｚまでの周波数範囲について、Ｌは４
・３ＧＨｚから６ＧＨｚまでの周波数範囲について、Ｌは８
・６ＧＨｚから５２．６ＧＨｚまでの周波数範囲について、Ｌは６４
【００１５】
一方、１つ又は複数のＳＳバーストはさらに、ＳＳバーストセット内のＳＳバーストの数が有限である、ＳＳバーストセット（又はシリーズ）を構成する。物理レイヤ仕様の観点から、ＳＳバーストセットの少なくとも１つの周期性が、サポートされる。ＵＥの観点から、ＳＳバーストセット送信は、周期的である。少なくとも初期セル選択について、ＵＥは、所与のキャリア周波数のＳＳバーストセット送信のデフォルト周期性（たとえば、５ｍｓ、１０ｍｓ、２０ｍｓ、４０ｍｓ、８０ｍｓ、又は１６０ｍｓのうちの１つ）を想定し得る。ＵＥは、所与のＳＳブロックがＳＳバーストセット周期性を有して繰り返されると想定し得る。デフォルトで、ＵＥは、ｇＮＢが同じ数の物理ビームを送信することも、ＳＳバーストセット内の異なるＳＳブロックにわたり同じ物理ビームを送信することも想定しないことが可能である。特別な場合には、ＳＳバーストセットは、１つのＳＳバーストを含み得る。
【００１６】
各キャリアについて、ＳＳブロックは、時間で整列され得る又は完全に若しくは少なくとも部分的に重複し得る、或いはＳＳブロックの開始は、時間で整列され得る（たとえば、送信されるＳＳブロックの実際の数が、異なるセルで異なるとき）。図５は、ＳＳブロック、ＳＳバースト、及びＳＳバーストセット／シリーズの例示的設定を示す。
【００１７】
バーストセット内のすべてのＳＳブロックは、５ｍｓウインドウ内であるが、そのようなウインドウ内のＳＳブロックの数は、ヌメロロジに依存する（たとえば、２４０ｋＨｚサブキャリア間隔を有する６４ＳＳブロック以下）。図６は、タイムスロット内の及び５ｍｓウインドウ内のＳＳブロックの例示的マッピングを示す。
【００１８】
ＬＴＥにおけるＭＡＣ  ＣＥによるＣＳＩ−ＲＳアクティブ化に関して、ＭＡＣ  ＣＥコマンドによるＣＳＩ−ＲＳアクティブ化／非アクティブ化は、ＴＳ３６．３２１において指定され、そこで、セクション５．１９が以下を説明する：
ネットワークは、項６．１．３．１４で説明されているＣＳＩ−ＲＳリソースＭＡＣ制御要素のアクティブ化／非アクティブ化を送ることによって、サービングセルの設定されたＣＳＩ−ＲＳリソースをアクティブ化及び非アクティブ化することができる。設定されたＣＳＩ−ＲＳリソースは、最初に設定時に及びハンドオーバ後に非アクティブ化される。
【００１９】
セクション６．１．３．１４は、以下を開示する：
ＣＳＩ−ＲＳリソースＭＡＣ制御要素のアクティブ化／非アクティブ化は、テーブル６．２．１−１において指定されているようにＬＣＩＤを有するＭＡＣ  ＰＤＵサブヘッダによって識別される。それは、設定されたＣＳＩプロセス（Ｎ）の数としての可変サイズを有し、図６．１．３．１４−１において規定される。アクティブ化／非アクティブ化ＣＳＩ−ＲＳコマンドは、図６．１．３．１４−２において規定されており、ＣＳＩプロセスのＣＳＩ−ＲＳリソースをアクティブ化する又は非アクティブ化する。ＣＳＩ−ＲＳリソースＭＡＣ制御要素のアクティブ化／非アクティブ化は、ＵＥがＣＳＩ−ＲＳリソースＭＡＣ制御要素のアクティブ化／非アクティブ化を受信する、サービングセルに適用される。
【００２０】
ＣＳＩ−ＲＳリソースＭＡＣ制御要素のアクティブ化／非アクティブ化は、以下のように規定される：
−  Ｒｉ：このフィールドは、ＣＳＩ−ＲＳプロセスのＣＳＩ−ＲＳ−ＣｏｎｆｉｇＮＺＰＩｄ  ｉと関連するＣＳＩ−ＲＳリソースのアクティブ化／非アクティブ化状況を示す。Ｒｉフィールドは、ＣＳＩ−ＲＳプロセスのＣＳＩ−ＲＳ−ＣｏｎｆｉｇＮＺＰＩｄ  ｉと関連するＣＳＩ−ＲＳリソースがアクティブ化されることになることを示すために、「１」に設定される。Ｒｉフィールドは、ＣＳＩ−ＲＳ−ＣｏｎｆｉｇＮＺＰＩｄ  ｉが非アクティブ化されることになることを示すために、「０」に設定される。
【００２１】
図７は、ＭＡＣ制御要素によるＣＳＩ−ＲＳリソースのアクティブ化／非アクティブ化を示す。
【００２２】
図８は、ＣＳＩ−ＲＳコマンドによるＣＳＩ−ＲＳリソースのアクティブ化／非アクティブ化を示す。
【００２３】
ＭＡＣ  ＣＥが、サポートされる最大限のＣＳＩ−ＲＳリソースまで選択的アクティブ化することになるとき、ＭＡＣアクティブ化は、ＵＥがフィードバックをサポートすることができるＵＥのためのより多くのＣＳＩ−ＲＳリソースを設定することができるように、ＬＴＥにおいて導入された。次いで、ＲＲＣによって再設定する必要なしに、ネットワークは、ＵＥのために設定されたリソースの中から別のセットをアクティブ化することができる。
【００２４】
ＮＲにおけるＭＡＣ  ＣＥ使用に関して、ＮＲについて合意されたＭＡＣ  ＣＥが、リストに記載される。
2021514124.tif 000003
2021514124.tif 000004
R1-1721734において:
2021514124.tif 000005
【００２５】
ＮＲにおけるＲＬＭの取り扱いに関して、２つのタイプの参照信号（ＲＳタイプ）が、Ｌ３可動性のために規定される：ＬＴＥ及びＰＢＣＨ／ＤＭＲＳにおけるＰＳＳ／ＳＳＳと同等の同期信号を基本的に含む、ＰＢＣＨ／ＳＳブロック（ＳＳＢ又はＳＳブロック）と、専用シグナリングを介してさらに設定可能な及び設定された、Ｌ３可動性のためのＣＳＩ−ＲＳ。２つのＲＳタイプを規定する異なる理由が存在し、それらのうちの１つは、狭いビームでＣＳＩ−ＲＳを送信する一方で、広いビームでＳＳＢを送信する可能性である。
【００２６】
ＲＡＮ１＃  ＮＲ  ＡｄＨｏｃ＃２において、ＮＲでは、ＲＬＭのために使用されるＲＳタイプも設定可能である（ＣＳＩ−ＲＳベースのＲＬＭ及びＳＳブロックベースのＲＬＭの両方がサポートされる）ことが合意されており、ＲＬＭのＲＳタイプはＲＲＣシグナリングを介して設定されるべきであることは自然に思われる。ＲＡＮ１＃９０において、さらなる進展が達せられ、同時にＵＥの異なるＲＬＭ−ＲＳリソースに対して単一のＲＬＭ−ＲＳタイプのみをサポートすることが合意された。
【００２７】
ＮＲは、かなり高い周波数（６ＧＨｚを超えるが、１００ＧＨｚ以下）で動作することができるので、ＲＬＭのために使用されるこれらのＲＳタイプは、ビーム形成され得る。言い換えれば、配備又は動作周波数に応じて、ＵＥは、どのＲＳタイプがＲＬＭのために選択されるかに関わらず、ビーム形成された参照信号をモニタするように設定することができる。したがって、ＬＴＥとは異なって、ＲＬＭのＲＳは、複数のビームで送信することができる。
【００２８】
ＣＳＩ−ＲＳの場合、時間／周波数リソース及びシーケンスが、使用され得る。複数のビームが存在し得るとき、ＵＥは、ＲＬＭについてどれをモニタするか及びＩＳ／ＯＯＳイベントをどのように生成するかを知っている必要がある。ＳＳＢの場合、各ビームは、ＳＳＢインデックスによって識別する（ＰＢＣＨ及び／又はＰＢＣＨ／ＤＭＲＳスクランブリングにおいて時間インデックスから導出する）ことができる。ＲＡＮ１＃９０において、これは設定可能であることが合意され、ＮＲにおいて、ネットワークは、以下のように、ＳＳブロック又はＣＳＩ−ＲＳに関する、ＲＲＣシグナリング、Ｘ  ＲＬＭリソース、によって設定することができる：
−  １つのＲＬＭ−ＲＳリソースは、１つのＰＢＣＨＳＳブロック又は１つのＣＳＩ−ＲＳリソース／ポートのいずれかでもよい、
−  ＲＬＭ−ＲＳリソースは、少なくともＣＳＩ−ＲＳベースのＲＬＭの場合には、ＵＥ特有に設定される、
−  ＵＥが、１つ又は複数のＲＬＭ−ＲＳリソースでＲＬＭを実行するように設定されるとき、
・周期的ＩＳは、すべての設定されたＸ  ＲＬＭ−ＲＳリソースの中の少なくともＹ  ＲＬＭ−ＲＳリソースに基づく仮説的ＰＤＣＣＨ  ＢＬＥＲに対応する見積もられたリンク品質がＱ＿ｉｎ閾値を上回るかを指示した
・すべての設定されたＸ  ＲＬＭ−ＲＳリソースに基づく仮説的ＰＤＣＣＨ  ＢＬＥＲに対応する見積もられたリンク品質がＱ＿ｏｕｔ閾値未満である場合に、周期的ＯＯＳが指示される、
・それは、ＯＯＳ／ＩＳイベントを生成するためのあらゆるサンプルにおいて最良のビームの品質のみが実際に問題となる、方向を指し示す。
【００２９】
最初の会合、南京におけるＲＡＮ２＃９４において、我々は、ＮＲ可動性について議論し、以下が合意された：
ネットワーク制御される可動性の２つのレベル：
１：「セル」レベルにおいて駆動されるＲＲＣ
２：ゼロ／最小限のＲＲＣ関与（たとえば、セルの規定であるＭＡＣ／ＰＨＹ  ＦＦＳにおいて）
【００３０】
その後、セル間可動性はＲＲＣレベルに依存することが少なくともＲＡＮ２では常に想定されており、その一方で、セル内可動性（同じセル内のビーム管理手続きを含む）は、ＲＲＣ関与を有するべきではない。
【００３１】
しかしながら、ＲＡＮ１＃９０において、以下が合意された：
・ＮＲは、Ｘ  ＲＬＭ−ＲＳリソースを設定することをサポートする
−  １つのＲＬＭ−ＲＳリソースは、１つのＳＳ／ＰＢＣＨブロック又は１つのＣＳＩ−ＲＳリソース／ポートのいずれかでもよい、
−  ＲＬＭ−ＲＳリソースは、少なくともＣＳＩ−ＲＳベースのＲＬＭの場合、ＵＥ特有に設定される
【００３２】
次いで、ＲＡＮ１＃９０ｂｉｓにおいて、以下のように、Ｘの値は制限されるべきであると合意された：
・ＮＲは、ＵＥのための最大Ｘ個のＲＬＭ−ＲＳ（ＣＳＩ−ＲＳ及び／又はＳＳＢ）リソースの設定をサポートする
・次の会合で決定されることになるＸの最終値、及び（Ｘ＜＝［８］）
・注：ＢＭが必要とされる配備シナリオでは、ＢＭ処理及び報告が、Ｘ以下のＲＬＭ−ＲＳを選択するためのネットワークのための必須条件である。
・ＦＦＳ：サブ６及び６超のＧＨｚについて異なる数を有するかどうか
【００３３】
次いで、ＲＡＮ１＃９１において、リソースの最大数のＸの値は、以下のように、異なる周波数範囲について変化し得ることが合意された：
・Ｘの値について：
・３ＧＨｚ未満について：Ｘ＝２
・３ＧＨｚ超及び６ＧＨｚ未満について：Ｘ＝４
・６ＧＨｚ超について：Ｘ＝［８］
・ＲＬＭ−ＳＳＢ：値範囲は、０、１、…、６３
・ＲＬＭ−ＣＳＩ−ＲＳ−ｔｉｍｅＣｏｎｆｉｇ：
・周期性、Ｐ：｛５ｍｓ，１０ｍｓ，２０ｍｓ，４０ｍｓ｝
・スロットオフセット：｛０，…，Ｐｓ−１｝スロット
・Ｐｓが、ＣＳＩ−ＲＳヌメロロジにおける期間Ｐ内のスロットの数である場合
・ＲＬＭ−ＣＳＩ−ＲＳ−ＦｒｅｑＢａｎｄ
・以下の例外を有してＢＭにおいて合意されたパラメータ値を採用する：
・ＰＲＢの最小数は２４である。
【００３４】
現在、ある種の課題が存在する。それらの理解を助けるために、これらの合意の結果が、考慮されなければならない。ＲＡＮ１では、セルをカバーするＳＳＢの数はまた、周波数範囲ごとに変化することが可能であり、以下の値が、ＲＡＮ１＃８８ｂｉｓにおいて合意された：
・異なる周波数範囲のＳＳバーストセット内のＳＳブロックの考慮される最大数、Ｌは、
−３ＧＨｚ以下の周波数範囲について、ＳＳバーストセット内のＳＳブロックの最大数、Ｌは、［１，２，４］である
−３ＧＨｚから６ＧＨｚまでの周波数範囲について、ＳＳバーストセット内のＳＳブロックの最大数、Ｌは、［４，８］である
−６ＧＨｚから５２．６ＧＨｚまでの周波数範囲について、ＳＳバーストセット内のＳＳブロックの最大数、Ｌは、［６４］である
【００３５】
次いで、特にＳＳＢベースのＲＬＭについて、Ｌ（所与の周波数範囲内のセルの送信されるＳＳＢの最大数）とＸ（所与の周波数範囲のＲＬＭ−ＲＳリソースの最大数）との値を比較する場合、以下に示すように、ＸがＬより低いシナリオを有することになる：
2021514124.tif 000006
【００３６】
前述のテーブルから分かるように、ＲＬＭのために設定することができるビームの数（「ビーム」という用語は、ＲＬＭ−ＲＳリソースの代わりに使用され得る）は、セルカバレッジを場合により提供するビームの数より小さい。図９は、３ＧＨＺと６ＧＨＺとの間の周波数についてのこのシナリオを示し、Ｌ＝８及びＸ＝４（すなわち、３ＧＨｚと６ＧＨｚとの間の周波数の）である。次いで、ＵＥが、そのセルのカバレッジ内で移動する場合、ＲＬＭのために使用されることになるビームは、再設定される必要がある可能性があり、そうでない場合、ＵＥは、ＵＥがセルカバレッジ下にまだあっても、ＯＳＳイベントの生成を場合により開始する（及びＲＬＦを場合により宣言する）ことになる。
【００３７】
その状況が生じるとき、ネットワークが行うことができることを望むと見込まれるのは、ＰＤＣＣＨでＵＥにサーブするビームと、その結果として、ＲＬＭについてモニタされることになるビームとの両方を再設定することである（これらは相互に関連すべきであるので）。図１０は、ＰＤＣＣＨビーム及びその結果としてＲＳ−ＲＬＭリソース／ビームを再設定するネットワークを示す。
【００３８】
しかしながら、ベースライン解決法に関するある特定の問題が存在する。たとえば、ＲＲＣシグナリングが、通常は、モバイルネットワークにおける再設定のために考慮され、したがって、それは、ベースライン解決法などのＲＬＭ−ＲＳパラメータをＵＥが再設定する必要があるたびに、想定され得る。しかしながら、Ｘ＜Ｌを有するというＲＡＮ１決定の結果は、許されたＲＬＭ−ＲＳ再設定機構のみが、ＲＲＣに基づくものである場合、ＵＥは、ＲＡＮ２における最初のＮＲ可動性合意に反する、セル内可動性を実行することをＲＲＣシグナリングに恐らくは求めることになる。したがって、所見は、最大限のＲＬＭ−ＲＳリソース（８と等しい）の現在のＲＡＮ１想定は、先の合意ＲＡＮ２に反する、セル内ＲＲＣベースの可動性を必要とするということである。
【発明の概要】
【００３９】
本開示のある種の態様及びそれらの実施形態は、これらの又は他の課題に対する解決法を提供することができる。たとえば、ＲＬＭ−ＲＳリソースなどのＲＬＭパラメータのための設定及び再設定フレームワークを含む、方法が開示される。本方法は、ネットワークによって送られるＲＲＣシグナリングを介してＲＬＭ設定のセットでＵＥが設定されることと、これらの設定が、場合により、たとえば、ＭＡＣ  ＣＥ、ＤＣＩ、又は他のシグナリングを使用する、下位レイヤシグナリングを介して、たとえば、アクティブ化／非アクティブ化によって、更新されることとを含む。
【００４０】
ある種の実施形態によれば、ワイヤレスデバイスによる方法が、無線リンクモニタリング（ＲＬＭ）及びビームモニタリングの最適化された再設定のために提供される。本方法は、少なくとも１つのＲＬＭパラメータを含む第１のメッセージを、第１のネットワークノードから受信することを含む。第１のメッセージと関連する少なくとも１つのＲＬＭパラメータのアクティブ化を指示する第２のメッセージが、受信される。第２のメッセージは、第１のメッセージと比較して下位レイヤ信号である。
【００４１】
ある種の実施形態によれば、ＲＬＭ及びビームモニタリングの最適化された再設定のためのワイヤレスデバイスが、提供される。ワイヤレスデバイスは、命令を記憶するメモリと、少なくとも１つのＲＬＭパラメータを含む第１のメッセージを、第１のネットワークノードから、ワイヤレスデバイスに受信させるための命令を実行するように動作可能な処理回路とを含み、第１のメッセージと関連する少なくとも１つのＲＬＭパラメータのアクティブ化を指示する第２のメッセージが、受信される。第２のメッセージは、第１のメッセージと比較して下位レイヤ信号である。
【００４２】
ある種の実施形態によれば、ネットワークノードが、ＲＬＭ及びビームモニタリングの最適化された再設定のために提供される。本方法は、少なくとも１つのＲＬＭパラメータを含む第１のメッセージを、ワイヤレスデバイスに送ることと、第１のメッセージに関連する少なくとも１つのＲＬＭパラメータのアクティブ化を指示する第２のメッセージを、ワイヤレスデバイスに送ることとを含む。第２のメッセージは、第１のメッセージと比較して下位レイヤ信号である。
【００４３】
ある種の実施形態によれば、ＲＬＭ及びビームモニタリングの最適化された再設定のためのネットワークノードが、提供される。ネットワークノードは、命令を記憶するメモリと、少なくとも１つのＲＬＭパラメータを含む第１のメッセージを、ワイヤレスデバイスに送ること及び第１のメッセージに関連する少なくとも１つのＲＬＭパラメータのアクティブ化を指示する第２のメッセージを、ワイヤレスデバイスに送ることをネットワークノードに行わせるための命令を実行するように動作可能な処理回路とを含む。第２のメッセージは、第１のメッセージと比較して下位レイヤ信号である。
【００４４】
ある種の実施形態は、以下の技術的利点のうちの１つ又は複数を提供することができる。たとえば、ある種の実施形態の技術的利点は、セル内可動性によりＲＲＣシグナリングを回避する又は最小限に抑えることを含み得る。具体的には、これらの利点は、セル内可動性によりＲＬＭパラメータが更新される必要があるときに、体験され得る。
【００４５】
開示される実施形態及びそれらの特徴及び利点のより完全な理解のために、以下のような添付の図面と併せて、以下の説明がここで参照される。
【図面の簡単な説明】
【００４６】
【図１】物理ダウンリンク制御チャンネル（ＰＤＣＣＨ）がダウンリンク送信帯域幅全体のどこかにスケジュールされ得ることを示す図である。
【図２】ＬＴＥにおける上位レイヤ無線リンクモニタリング（ＲＬＭ：ｒａｄｉｏ  ｌｉｎｋ  ｍｏｎｉｔｏｒｉｎｇ）手続きを示す図である。
【図３】ハイブリッドビーム形成の例示的図である。
【図４Ａ】２サブアレイでのＴＸビーム掃引を示す図である。
【図４Ｂ】３サブアレイでのＴＸビーム掃引を示す図である。
【図５】同期信号（ＳＳ：ｓｙｎｃｈｒｏｎｉｚａｔｉｏｎ  ｓｉｇｎａｌ）ブロック、ＳＳバースト、及びＳＳバーストセット／シリーズの例示的設定を示す図である。
【図６】タイムスロット内の及び５ｍｓウインドウ内のＳＳブロックの例示的マッピングを示す図である。
【図７】ＭＡＣ制御要素によるＣＳＩ−ＲＳリソースのアクティブ化／非アクティブ化を示す図である。
【図８】ＣＳＩ−ＲＳコマンドによるＣＳＩ−ＲＳリソースのアクティブ化／非アクティブ化を示す図である。
【図９】ＲＬＭのために設定することができるビームの数は、セルカバレッジを場合により提供するビームの数より小さいことを示す図である。
【図１０】ＰＤＣＣＨビーム及びその結果としてＲＳ−ＲＬＭリソース／ビームを再設定するネットワークを示す図である。
【図１１】ある種の実施形態による、ネットワークによって送られるＲＲＣシグナリングを介してＲＬＭ設定のセットでＵＥが設定されることを含む、例示的方法を示す図である。
【図１２】ある種の実施形態による、ＲＬＭ及びビームモニタリングの最適化された再設定のための例示的ネットワークを示す図である。
【図１３】ある種の実施形態による、ＲＬＭ及びビームモニタリングの最適化された再設定のための例示的ネットワークノードを示す図である。
【図１４】ある種の実施形態による、ＲＬＭ及びビームモニタリングの最適化された再設定のための例示的ワイヤレスデバイスを示す図である。
【図１５】ある種の実施形態による、例示的ユーザ機器を示す図である。
【図１６】いくつかの実施形態によって実装される機能が仮想化され得る例示的仮想化環境を示す図である。
【図１７】ある種の実施形態による、ホストコンピュータに中間ネットワークを介して接続された電気通信ネットワークを示す図である。
【図１８】ある種の実施形態による、部分的ワイヤレス接続を介してユーザ機器と基地局を介して通信するホストコンピュータの一般化されたブロック図である。
【図１９】一実施形態による、通信システムにおいて実装される方法を示す図である。
【図２０】一実施形態による、通信システムにおいて実装されるもう１つの方法を示す図である。
【図２１】一実施形態による、通信システムにおいて実装されるもう１つの方法を示す図である。
【図２２】一実施形態による、通信システムにおいて実装されるもう１つの方法を示す図である。
【図２３】ある種の実施形態による、ＲＬＭ及びビームモニタリングの最適化された再設定のためのワイヤレスデバイスによる例示的方法を示す図である。
【図２４】ある種の実施形態による、ＲＬＭ及びビームモニタリングの最適化された再設定のための例示的仮想コンピューティングデバイスを示す図である。
【図２５】ある種の実施形態による、ＲＬＭ及びビームモニタリングの最適化された再設定のためのネットワークノードによる例示的方法を示す図である。
【図２６】ある種の実施形態による、ＲＬＭ及びビームモニタリングの最適化された再設定のためのもう１つの例示的仮想コンピューティングデバイスを示す図である。
【発明を実施するための形態】
【００４７】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００４８】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【００４９】
いくつかの実施形態において、非制限的用語「ＵＥ」が使用される。本明細書では、ＵＥは、無線信号を介してネットワークノード又は別のＵＥと通信する能力を有する任意のタイプのワイヤレスデバイスでもよい。ＵＥはまた、無線通信デバイス、目標デバイス、デバイス対デバイス（Ｄ２Ｄ）ＵＥ、マシンタイプＵＥ若しくはマシン対マシン通信（Ｍ２Ｍ）の能力を有するＵＥ、ＵＥで装備されたセンサ、ｉＰＡＤ、タブレット、モバイル端末、スマートフォン、ラップトップ組み込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングル、顧客構内機器（ＣＰＥ：Ｃｕｓｔｏｍｅｒ  Ｐｒｅｍｉｓｅｓ  Ｅｑｕｉｐｍｅｎｔ）などでもよい。
【００５０】
また、いくつかの実施形態において、総称的専門用語「ネットワークノード」が使用される。それは、基地局、無線基地局、基地局トランシーバ、基地局コントローラ、ネットワークコントローラ、マルチスタンダード無線ＢＳ、ｇＮＢ、ｅｎ−ｇＮＢ、ｎｇ−ｅＮＢ、ＮＲ  ＢＳ、エボルブドノードＢ（ｅＮＢ）、ノードＢ、マルチセル／マルチキャストコーディネーションエンティティ（ＭＣＥ：Ｍｕｌｔｉ−ｃｅｌｌ／ｍｕｌｔｉｃａｓｔ  Ｃｏｏｒｄｉｎａｔｉｏｎ  Ｅｎｔｉｔｙ）、リレーノード、アクセスポイント、無線アクセスポイント、リモート無線ユニット（ＲＲＵ：Ｒｅｍｏｔｅ  Ｒａｄｉｏ  Ｕｎｉｔ）、リモート無線ヘッド（ＲＲＨ：Ｒｅｍｏｔｅ  Ｒａｄｉｏ  Ｈｅａｄ）、マルチスタンダードＢＳ（別名、ＭＳＲ  ＢＳ）、コアネットワークノード（たとえば、ＭＭＥ、ＳＯＮノード、コーディネートノード、ポジショニングノード、ＭＤＴノードなど）、又は外部ノード（たとえば、サードパーティノード、現在のネットワークの外部のノード）などの無線ネットワークノードを含み得る任意の種類のネットワークノードでもよい。ネットワークノードはまた、試験機器を備え得る。
【００５１】
「ＢＳ」という用語は、たとえば、ｇＮＢ、ｅｎ−ｇＮＢ若しくはｎｇ−ｅＮＢ又はリレーノード、或いは実施形態による任意のＢＳを含み得る。
【００５２】
本明細書では、「無線ノード」という用語は、ＵＥ又は無線ネットワークノードを示すために使用され得る。
【００５３】
本明細書では、「シグナリング」という用語は、次のいずれかを含み得る：高レイヤシグナリング（たとえば、ＲＲＣなどを介する）、下位レイヤシグナリング（たとえば、物理制御チャンネル又はブロードキャストチャンネルを介する）、或いはその組合せ。シグナリングは、黙示的又は明示的でもよい。シグナリングはさらに、ユニキャスト、マルチキャスト又はブロードキャストでもよい。シグナリングはまた、別のノードに直接又は第３のノードを介してもよい。
【００５４】
本明細書では、ＲＬＭ手続きという用語は、ＲＬＭの間の任意のプロセス発生又はＵＥによって取られるアクションを指し得る。そのようなプロセス又はアクションの例は、ＯＯＳ評価、ＩＳ評価、ＩＳ／ＯＯＳのフィルタリング（たとえば、カウンタの開始）、ＲＬＦのトリガ、ＲＬＦタイマの開始又は満了などである。
【００５５】
本明細書では、ＲＬＭパフォーマンスという用語は、無線ノードによって実行されるＲＬＭのパフォーマンスの特徴を示す任意の基準又はメトリックを指し得る。ＲＬＭパフォーマンス基準の例は、ＩＳ／ＯＯＳが検出される評価期間、ＵＥ送信器がＲＬＦタイマの満了時にオフにされることになる時間周期などである。
【００５６】
本明細書では、ヌメロロジという用語は、以下のうちのいずれか１つ又はその組合せを含み得る：サブキャリア間隔、帯域幅内のサブキャリアの数、リソースブロックサイズ、シンボル長、ＣＰ長など。１つの特定の非制限的例において、ヌメロロジは、７．５ｋＨｚ、１５ｋＨｚ、３０ｋＨｚ、６０ｋＨｚ、１２０ｋＨｚ、又は２４０ｋＨｚのサブキャリア間隔を含む。別の例において、ヌメロロジは、サブキャリア間隔３０ｋＨｚ以上を有して使用され得るＣＰ長である。
【００５７】
ある種の実施形態によれば、ＲＬＭ−ＲＳリソースを一例として含み得る、ＲＬＭパラメータの設定及び再設定フレームワークを含む、方法が提供される。図１１は、ある種の実施形態による、ステップ５２においてネットワークによって送られるＲＲＣシグナリングを介するＲＬＭ設定のセットでＵＥが設定されることを含む、例示的方法５０を示す。図示されるように、設定は、たとえば、ＭＡＣ  Ｃｅ、ＤＣＩ、又は他のシグナリング要素を使用することを含み得る、ステップ５４における下位レイヤシグナリングを介する、アクティブ化／非アクティブ化によって、場合により更新される。
【００５８】
後述されるさらなる詳細は、以下を含む：
−  上位レイヤシグナリング（たとえばＲＲＣメッセージ）を介してＵＥが受信し得るＲＬＭ設定／再設定、
−  ＵＥがＲＬＭ設定／再設定を受信し得る上位レイヤメッセージ（及び関連シナリオ）の種類、
−  上位レイヤシグナリング（ＲＲＣ）を介する、前に提供された設定／再設定に関連する下位レイヤシグナリングを介して送信されるメッセージに基づいてＵＥが実行することができる更新の種類。
【００５９】
他の技法が、ＲＬＭ−ＲＳリソースのセットを変更するＮＲのために提案された。たとえば、ＲＬＭパラメータの再設定は、他の場所で提案された。しかしながら、それらの開示における焦点は、再設定フレームワークを可能な限り効率的にしようとすることに全く関連していない。そうではなくて、ＲＬＭパラメータの異なる種類の再設定について、設定に応じて取られるべき異なるＵＥアクションが存在し得ることが提案された。しかしながら、本明細書の開示では、焦点は、セル内ＲＲＣシグナリングを回避する／最小限に抑えるために、再設定フレームワークを可能な限り効率的にすることにある。
【００６０】
もう１つの例として、ＢＷＰ切り替え時のＲＬＭ再設定に関し、以前の開示は存在した。より具体的には、ＵＥが、１つ又は複数のＲＬＭ設定を有してネットワークによって設定される、或いはアクティブＢＷＰ又はアクティブＢＷＰのセットに基づいて１つ又は複数のＲＬＭ設定パラメータを決定する（たとえば、事前に規定されたルールに基づいて）、方法が提案された。それらのうちの１つは、ネットワークによって設定する、或いはアクティブＲＬＭ設定としてＵＥによって決定することができる（たとえば、事前に規定されたルールに基づいて）。標準によって指定された、ネットワークによって設定された、又は事前に規定されたルールに基づいてＵＥによって決定される、デフォルトＲＬＭ再設定もまた存在し得、デフォルトＲＬＭ設定は、デフォルトＢＷＰとさらに関連付けられていてもいなくてもよい。一方、本明細書で開示される技法において、各ＲＬＭ設定は、１つの帯域幅部分（ＢＷＰ）内でＲＬＭを行うための少なくとも１つのセットの無線リソース及び設定パラメータを含む。
【００６１】
さらに、以前の解決法で提案された変更は、ＢＷＰにおける変更があるときのＲＬＭ設定の変更である。その一方で、本明細書で開示される技法は、たとえば、セル内可動性により、たとえば、ＵＥが同じＢＷＰにとどまるにもかかわらず、最適化されたＲＬＭ再設定フレームワークが必要とされるときなど、ＵＥが同じＢＷＰ内にまだある場合にも、ＲＬＭパラメータが変更されなければならない場合に適用される。
【００６２】
ＲＬＭ設定／再設定に関して、ＵＥは、第１のセットの実施形態により、上位レイヤシグナリングを介して受信することができ、ＵＥは、１つ又は複数の（たとえばＮ１）ＲＬＭ設定とインデックスのセットとの間のマッピングをネットワークから受信することができ、その設定を適用する。１つのそのような例示的マッピングが、テーブル１に示される：
2021514124.tif 000007
【００６３】
上位レイヤメッセージはまた、上位レイヤメッセージを受信したときにどの設定がアクティブ化されるべきかをＵＥに指示することができる（黙示的に又は明示的に）。少なくともＵＥが上位レイヤから設定を単に受信するとき、たとえば、ハンドオーバが発生するとき、ＵＥが接続を再開又は確立しているとき、或いはネットワークが、上位レイヤシグナリングでＲＬＭパラメータを再設定することを単純に決定するとき、下位レイヤを介する追跡の要求を行うことによって、更新メッセージ（たとえばＭＡＣ  ＣＥ）は、回避され得る。
【００６４】
明示的指示は、最初にアクティブ化されると考えられることになる「デフォルト」設定を指示するフラグでもよい。デフォルト設定の黙示的指示は、単純に、第１のインデックスなどの、設定のセットにおける特定のインデックスでもよい。ＵＥは、メッセージを受信したときにＵＥがアクティブ化するそのデフォルトを使用し、ＵＥが下位レイヤからの更新コマンドへの上位レイヤからの新しい設定を受信するまで、引き続き使用する。１つだけの設定が提供された場合、その黙示的指示は、ＵＥがＲＲＣシグナリングを介してそのＲＬＭ設定を単に変更することを意味する。
【００６５】
前述のテーブルに記載された各ＲＬＭ設定は、それらの組合せの異なるパラメータに関連し得る。
【００６６】
ある種の実施形態によれば、そのテーブル内の各ＲＬＭ設定は、１セットのＲＬＭ−ＲＳリソースでもよい。したがって、特定の実施形態において、同時にＵＥによってモニタすることができる最大数ＸのＲＬＭ−ＲＳが存在するとき、各セットのＲＬＭ−ＲＳリソースは同数のリソースを有し得る。各ＲＬＭ−ＲＳ設定は、１セットのＸ  ＲＬＭ−ＲＳリソースを含む。もう１つの実施形態において、異なるＲＬＭ−ＲＳ設定は、異なる数のＲＬＭ−ＲＳリソースを有することができ、下位レイヤシグナリングを介して所与の設定をアクティブ化するがネットワークにより高い柔軟性をもたらすインデックスを符号化するためにビットの数を増やすことになる。
【００６７】
たとえば、周波数＜３ＧＨｚについて、Ｘは、２以下のリソースになり得る。Ｌ＝４以下のＳＳＢ（ＳＳＢ１、ＳＳＢ２、ＳＳＢ３、ＳＳＢ４）が存在し得るとき、この例のためにＳＳＢとしてＲＳタイプのみを考える場合、Ｘ  ＲＬＭ−Ｒｓリソースのための以下の組合せが、テーブル２に記載される：
2021514124.tif 000008
【００６８】
それは、ネットワークによってＵＥに提供される設定／再設定でもよいが、使用される見込みの非常に低いことがある、ある特定の設定の回避に関して、よりスマートなネットワーク決定が存在し得る。たとえば、ＳＳＢ１及びＳＳＢ４が、空間的ドメインにおいて非常に遠く離れており、どのようにしても同時にＵＥによって決して検出されない場合、下位レイヤシグナリングによっていつかアクティブ化される可能性のあるものとしてその設定を考える意味がないことがある。したがって、１サブセットの見込みのある設定のみをネットワークが再設定する／設定する場合があり得る。そのスマートネットワーク実装形態は、下位レイヤシグナリング（たとえばＭＡＣ  ＣＥ）においてインデックスを符号化するために必要なビットの数を減らす可能性を有し得る。この例では、隣接するビームのみが、見込みのある設定と考えられる。一例が、以下のテーブル３に示される：
2021514124.tif 000009
【００６９】
所与の周波数範囲のＲＬＭ−ＲＳリソースの最大数は制限され、たとえば、３ＧＨｚ未満の周波数の場合には２であるが、ＵＥは、それでも、少ない数のＲＬＭ−ＲＳリソースで設定することができることに留意されたい。テーブル４で以下に示されるように、異なる数のリソース、単一の及び２倍のリソースを混合する設定もまた存在し得る：
2021514124.tif 000010
【００７０】
前の例は、ＲＬＭ−ＲＳリソースとしてＳＳＢリソースのみを示した。しかしながら、すべての実施形態が、それに限定される訳ではない。正確には、同じ論法が、他の２つの起こり得る場合に適用され得る：
−  モニタされることになるＲＬＭ−ＲＳリソースが、ＣＳＩ−ＲＳリソースになるように設定される、
−  モニタされることになるＲＬＭ−ＲＳリソースが、ＳＳＢ及びＣＳＩ−ＲＳリソースの混合物になるように設定される。
【００７１】
第１の場合（ＲＬＭ−ＲＳとしてのＣＳＩ−ＲＳリソースのみ）については、ＳＳＢインデックスの代わりに、ＣＳＩ−Ｒｓ設定（ＢＷ、シーケンス、タイムドメインリソース、正確な周波数リソース、サブキャリア間隔など）に関連付けられ得る、ＣＳＩ−ＲＳインデックスを使用することになるということを除いて、前の例は、非常に類似することになる。テーブル５は、第１の例を繰り返すが、ＣＳＩ−ＲＳを有する：
2021514124.tif 000011
【００７２】
そして、少なくとも１つの例が、ＳＳＢ及びＣＳＩ−ＲＳリソースの組合せとともにテーブル６に示され、そこでは、制限された数の設定が、提供される：
2021514124.tif 000012
【００７３】
設定アクティブ化／非アクティブ化メッセージで送信されることになる（下位レイヤを介してネットワークによって送られることになる）ビットの数は、設定の数が増えるにつれて、増えることに留意されたい。したがって、より効率的な方式をさらに有するために、解決法は、下位レイヤシグナリングを介してアクティブ化されることになるパラメータを制限することになり得、一方、他のパラメータは、単に上位レイヤを介して規定され得る。１つの例示的実施形態において、ＲＳタイプは、単に、ＲＲＣを介して設定され、その一方で、正確なリソースは、ＲＲＣを介して設定され得、下位レイヤシグナリングを介してアクティブ化され得る。別の例示的実施形態において、その逆が、規定され得る：正確なリソースインデックスが、ＲＲＣを介して規定され、１つのＲＳタイプ又はその他（ＳＳＢ又はＣＳＩ−ＲＳ）のアクティブ化が、下位レイヤシグナリングを介して行われる。
【００７４】
周波数＜３Ｈｚについて、Ｘ＝２及びＬ＝４の場合の例を我々は提供したが、前述の方法、例及び実施形態は、その他の場合にも拡張され得る。主な差は、場合による又は見込みのある設定の数及び、場合により、所与の設定のアクティブ化を送るために使用されるビットの数（すなわち、特定の設定のインデックスを符号化するためのビットの数）になろう。
【００７５】
他の実施形態において、ネットワークは、単純に、どのＳＳＢがそのセルによって送信されているかをＲＲＣシグナリングを介してＵＥに通知する。たとえば、上位レイヤ（＞６Ｇｈｚ）では、６４以下のビーム／ＳＳＢが存在し得るが、ネットワーク実装形態は、１６を単に送信している可能性があり、ＵＥは、これらの１６ＳＳＢが何かを理解している必要がある。その意味で、この解決法では、ＵＥは、たとえば、６４ビットのビットマップを介して、送信されている正確な１６ビームを受信することができる。１つの例が与えられる：
送信されるＳＳＢの第１のビットマップ：１１１１１１１１１１１１１１１１０００００．．．０
【００７６】
第１の１６ビットは、第１の１６ＳＳＢがそのセルによって送信されていることをＵＥに示す。したがって、ＵＥは、ＳＳＢに基づくＲＬＭについて、これらの１６ビームのみがアクティブ化され得ることを知っている。次いで、ＵＥは、どれ（これが＞６ＧＨｚのとき、８以下）がＲＬＭについてモニタされることになるかを指示するように、別のビットマップで（たとえばＲＲＣを介して）設定することができる。たとえば、ネットワークが第１の８ビットを設定及びアクティブ化することを決定すると想定する。
【００７７】
１つの例では、８ビットのみが、ビットマップのために使用され、そこで、ＲＬＭについてモニタされることになる正確なＳＳＢが、前のビットマップと関連付けられる。以下の例は、前の例に関連している：
ＲＬＭのために使用されることになるＳＳＢの第２のビットマップ：１１１１１１１０００００００００１
【００７８】
そのビットマップは、ＵＥが以下をＲＬＭについてモニタすることになることを示す：ＳＳＢ１、ＳＳＢ２、…、ＳＳＢ７及びＳＳＢ１６。そのビットマップは、ＲＲＣ又は下位レイヤシグナリング、たとえば、ＭＡＣ  ＣＥ、を介して提供することができる。第２のビットマップが提供される最初の時は、ＲＲＣを介して行うことができ、その一方で、下位レイヤシグナリングは、異なるビットマップを提供することによってＲＬＭ−ＲＳリソースを変更するために使用され得る。
【００７９】
ここで、異なる例が提供され、そこでは、ネットワークは、６４ビームの中から、インターカレートされた１６ＳＳＢを送信することを決定する。それは、以下のことを示すために以下のビットマップをネットワークが送信することを意味する：
送信されるＳＳＢの第１のビットマップ：１０１０１０１０１０１０１０１０１０１０１．．．０
【００８０】
ＵＥは、ネットワークがＳＳＢ１、ＳＳＢ３、ＳＳＢ５、ＳＳＢ７、…、ＳＳＢ３１を送信することとしてそれを解釈する。したがって、ＵＥは、ＳＳＢに基づくＲＬＭについて、これらの１６ビームのみが、アクティブ化されたＳＳＢ１、ＳＳＢ３、ＳＳＢ５、ＳＳＢ７、…、ＳＳＢ３１になり得ることを知る。したがって、ＵＥは、どれが（これが＞６ＧＨｚであるとき、８以下）ＲＬＭについてモニタされることになるかを示すために、別のビットマップで設定され得る（たとえば、ＲＲＣを介して）。たとえば、ネットワークは送信されているものから第１の８ＳＳＢを設定及びアクティブ化することを決定すると想定する。次いで、８ビットのみが、ビットマップのために使用され、そこで、ＲＬＭについてモニタされることになる正確なＳＳＢが、前のビットマップ、すなわち、リストＳＳＢ１、ＳＳＢ３、ＳＳＢ５、ＳＳＢ７、…、ＳＳＢ３１、と関連付けられる。たとえば、ＲＬＭビットマップは、以下のようになり得る：
ＲＬＭについて使用されることになるＳＳＢの第２のビットマップ：１１１１１１１０００００００００１
【００８１】
そのビットマップは、ＵＥが以下をＲＬＭについてモニタすることになることを示す：ＳＳＢ１、ＳＳＢ３、ＳＳＢ５、ＳＳＢ７、ＳＳＢ９、ＳＳＢ１１、ＳＳＢ１３及びＳＳＢ３１。そのビットマップは、ＲＲＣ又は下位レイヤシグナリング、たとえば、ＭＡＣ  ＣＥ、を介して提供することができる。第２のビットマップが提供される最初の時は、ＲＲＣを介して行うことができ、一方、下位レイヤシグナリングは、異なるビットマップを提供することによってＲＬＭ−ＲＳリソースを変更するために使用され得る。
【００８２】
さらにもう１つの実施形態において、第１のテーブルに記載されたセットにおける各ＲＬＭ設定は、以下のパラメータのうちの１つ又はこれらの組合せと関連付けられ得る：
−  ＲＳタイプ（たとえば、ＳＳＢ、ＣＳＩ−ＲＳ又はＴＲＳでもよい）、
−  ＢＬＥＲペア（１つの閾値はＯＯＳ指示の生成向け、もう１つの閾値はＩＳ指示の生成向け）、
−  ＯＯＳ指示を生成するための個々のＢＬＥＲ
−  ＩＳ指示を生成するための個々のＢＬＥＲ
−  異なるＲＳタイプリソースを組み合わせるＲＬＭ−ＲＳリソースを含む、これらのうちのいずれかの組合せ
【００８３】
さらにもう１つの実施形態において、単一のＲＬＭ設定が、アクティブ化されると考えられることになる最初の１つになるように、ＲＲＣを介してＵＥに提供される。次いで、残りの再設定は、ＭＡＣ  ＣＥを介するなど、下位レイヤによって処理される。
【００８４】
その中でＵＥがＲＬＭ設定／再設定を受信することができる上位レイヤメッセージ（及び関連シナリオ）の種類に関して、ある種の実施形態によれば、たとえば、以下のＲＲＣメッセージのうちの１つを介して、ＲＬＭ設定が提供され得ることが、認識されている：
−  ＵＥが、非アクティブ状態から接続された状態になる接続の再開を望むとき、ＲＲＣＲｅｓｕｍｅＲｅｑｕｅｓｔに応答してネットワークによって送信される、ＲＲＣＲｅｓｕｍｅ、
−  基本的に、ＵＥが同じサービングセル内にとどまる及び１セットのそのパラメータを更新するときである、同期なしのＲＲＣＲｅｃｏｎｆｉｇｕｒａｔｉｏｎ。ＲＬＭパラメータの場合、それは、同じセルの異なるＴＲＰのカバレッジにＵＥが入るときに、送信され得る、
−  基本的にハンドオーバ、すなわち、セル間可動性、である、同期を有するＲＲＣＲｅｃｏｎｆｉｇｕｒａｔｉｏｎ。
【００８５】
その種類の更新に関して、ＵＥは、上位レイヤシグナリング（ＲＲＣ）を介して前に提供された設定／再設定に関連する下位レイヤシグナリングを介して送信されるメッセージに基づいて行い、第１の実施形態の１つの改変形態は、ＭＡＣ  ＣＥなどの、下位レイヤシグナリングが、前述のテーブルにおいて提供されるものなどの、上位レイヤシグナリングを介して提供されるＲＬＭ設定のうちの１つに関連するインデックスを符号化することであることが認められている。その下位レイヤシグナリングを受信したとき、ＵＥは、もしあれば、前のアクティブな設定を非アクティブ化し、下位レイヤシグナリングによって示されるものをアクティブ化する。
【００８６】
たとえば、以下のテーブルが、テーブル７において上位レイヤシグナリングを介して提供された場合：
2021514124.tif 000013
【００８７】
各インデックスは、ＭＡＣ  ＣＥを介して送信することができる。ＲＬＭ−ＲＳリソースが更新されることになるパラメータである場合に主として適用可能な、もう１つの実施形態において、下位レイヤシグナリングに基づく異なる機構が存在し得る。たとえば、ＵＥが、最大数のＲＬＭ．ＲＳリソースを有する場合、各ＭＡＣ  ＣＥは、以下のアクションのうちの１つ又はそれらの組合せが実行されることになることをＵＥに指示するために使用され得る：
−  前に設定された１セットの１つ又は複数のＲＬＭ−ＲＳリソースを取り除く、
−  １セットの１つ又は複数のＲＬＭ−ＲＳリソースを追加する、
−  前の設定に関連するＲＬＭ関連測定結果を削除する又は削除しない。
【００８８】
ＲＬＭ−ＲＳリソースが更新されることになるパラメータである場合に主に適用可能な、もう１つの実施形態において、ＵＥに前に提供された（たとえば、ＲＲＣシグナリングを介して）ものからどの正確なＲＬＭ−ＲＳリソースがＲＬＭについてモニタされることになるかを指示するＵＥへのビットマップを提供する、下位レイヤシグナリングに基づく異なる機構が存在し得る。
【００８９】
さらにもう１つの実施形態において、ＰＤＤＣＨ設定、具体的にはＰＤＣＣＨがＵＥによって検出されることになるＤＬ方向、の下位レイヤシグナリングの更新はまた、モニタされることになるＲＬＭ−ＲＳリソースを変更するようにＵＥをトリガする。たとえば、下位レイヤからの指示が、ＰＤＣＣＨがＳＳＢ０、ＳＳＢ１、…、ＳＳＢ８としての１セットのビームと相関性のある／疑似配列されたビームで送信されることを停止することになり、別のセットのビームＳＳＢ１、ＳＳＢ２、…、ＳＳＢ９と相関性のある／疑似配列されたビームで送信され始めることになることをＵＥに示す場合、ＵＥは、ＳＳＢ０、ＳＳＢ１、…、ＳＳＢ８からＳＳＢ１、ＳＳＢ２、…、ＳＳＢ９にそれのＲＬＭ−ＲＳ設定を更新する。
【００９０】
さらにもう１つの例示的実施形態において、ＵＥがＭＡＣ  ＣＥを受信するとき、ＵＥは、ＭＡＣ  ＣＥによって指し示されたリソースを現在のセットのＲＬＭリソースであると考えるように、ＭＡＣ  ＣＥは、ＲＬＭリソースのセットを更新する。ＲＬＭリソースを指し示すことに加えて、ＭＡＣ  ＣＥは、任意選択で、ＲＬＭリソースのＱＣＬ情報を与える。
【００９１】
ＵＥのサービングセルは、そこからサブセットが潜在的ＲＬＭリソースとして考慮されるようにＵＥのために設定され得る、Ｌ  ＳＳＢを有する。加えて、ＵＥは、ＩＤをそれぞれ有するＭ  ＣＳＩ−ＲＳリソース又はＣＳＩ−ＲＳリソースセットで設定され得る。ここで、Ｍは、指定された最大値を有する。また、ＳＳＢは、最大６ビットによって表されるＩＤを有する。ＣＳＩ−ＲＳリソース又はＣＳＩ−ＲＳリソースセットのＩＤを表すために必要とされるビットの最大数は、７以下になり得る。我々は、Ｘによって、ＣＳＩ−ＲＳリソース又はＣＳＩ−ＲＳリソースセットＩＤを表すために必要とされるビットの最大数を示す。
【００９２】
図８は、１つのオクテットのみを示すが、ＭＡＣ  ＣＥは、ＲＬＭリソースのアクティブ化されたセット内にＲＬＭリソースが存在するのと同数の後述のオクテットを含み得る。加えて、ある種の実施形態によれば、ＭＡＣ  ＣＥは、ＭＡＣ  ＣＥタイプを記述する、場合によりセル及びＢＷＰインデックスを与える、及びＱＣＬ  ｉｎｆｏが存在するか否かを記述するビットを有するために、オクテットを含む。さらに加えて、ＭＡＣ  ＣＥは、特定の実施形態において、オクテットにおいてＱＣＬ参照ＲＳ、ＳＳＢ又はＣＳＩ−ＲＳインデックスを与えることによって各ＲＬＭリソースの付加的オクテットにＱＣＬ情報を任意選択で含めることができる。
【００９３】
ビットＲ８がインデックスはＳＳＢについてであるかを告げる、Ｒ８が１に設定される、又はＣＳＩ−ＲＳについてＲ８が０に設定されるように、ＲＬＭリソースのＲＳインデックス又はそれについてのＱＣＬ  ｉｎｆｏを与えるそれぞれのオクテットが、形成される。残りのビット、Ｒ７からＲ１は、ＲＬＭリソース、又はＱＣＬ  ｉｎｆｏ参照リソースのインデックスを与えるために使用される。７ビット未満が、必要とされる場合、そのとき、残りは、ＭＡＣエンティティによって無視されるパディングビットである。
【００９４】
どのオクテットがＲＬＭリソースを記述するか、及びどのＱＣＬが事前に決定されるか。たとえば、ＱＣＬ  ｉｎｆｏは存在すると指示された場合、そのとき、ＣＳＩ−ＲＳリソースを与える各ＲＬＭリソースオクテットに、ＱＣＬ  ｉｎｆｏを与えるオクテットが続く。或いは、すべてのＲＬＭリソースが与えられた後、次に続くオクテットが、存在する順番で存在した各ＣＳＩ−ＲＳリソースのＱＣＬ  ｉｎｆｏを与える。
【００９５】
ＵＥが、１セットのリソースを示すＭＡＣ  ＣＥを受信するとき、ＵＥは、そのセットを前のセットと比較し得る。前のＲＬＭ  ＲＳセット内にも存在したそれらのリソースについて、ＵＥは、ＩＳ／ＯＯＳのモニタリング及び評価を継続する。新しいリソースについて、ＵＥは、ＩＳ／ＯＯＳのモニタリング及び評価を開始する。そのセット内にもう存在しないリソースについて、ＵＥは、モニタリングを停止し、ＩＳ／ＯＯＳの評価を破棄する。
【００９６】
問題は、異なる方式でネットワーク実装形態によって解決され得る。たとえば、ある種の実施形態によれば、その問題に対する第１の代替手段は、ＲＬＭ−ＲＳリソースの数がＲＬＭ−ＲＳリソースの最大数及びＳＳＢの最大数と整列される（すなわち、Ｌ及びＸを整列する）ことでもよい。
【００９７】
他の実施形態において、ＲＬＭ−ＲＳとしてＳＳＢを決して設定せず、ＵＥに向けて再設定されないが、ＵＥを追跡する／追うネットワークによって異なる方向にビーム形成され得る、１セットのＵＥ特有のＣＳＩ−ＲＳリソースに常に依存するなどの他の解決法がさらに存在し得る。それは、ＵＥ特有のＣＳＩ−ＲＳリソースが設定され得る場合、ごく少数のＵＥを有するシナリオで機能し得る。他方で、この解決法は、セルで定期的に送信される及び複数のＵＥにわたり共用される１セットのＣＳＩ−ＲＳリソースを設定することをネットワークが望む（設定は、専用シグナリングにおいてまだ提供されるが）場合には、非常に複雑に又は実現不可能になり得る。この解決法は、設定の数、及び、その結果として、下位レイヤシグナリングを介して指示されるビットの数を減らすために、前の実施形態のいずれかと組み合わせて使用され得ることに留意されたい。ＣＳＩ−ＲＳでＵＥを場合により追跡することによって、多くの場合には、追跡が使用され得、下位レイヤシグナリングを介してアクティブ化機構でＵＥを再設定する必要はないので、ネットワークは、限られた量のＣＳＩ−ＲＳリソースセットを設定することができる。
【００９８】
さらに他の実施形態において、問題は、ＳＳＢの数に関して配備され得るものをＲＬＭ  ＲＳリソースに関して設定され得るものに制限することによって、対処され得る。製造会社は、そのようにネットワークを実装／配備することはないことになり、実際には、Ｌ＝Ｘを使用することになる。
【００９９】
さらに他の実施形態によれば、別のネットワーク関連態様は、上位レイヤ及び下位レイヤによって実行される動作が、異なるノードによって実行され得る、というものになり得る。ＮＲにおいて、ＭＡＣ機能を場合により実行する、ＲＲＣ機能及びＤＵ（分散型ユニット）を場合により実行する、ＣＵ（中央ユニット）に基づくＲＡＮアーキテクチャ。したがって、１つの態様は、ＤＵ及びＣＵの両方が、ＵＥの現在の設定及びアクティブ化されたＲＬＭパラメータについて最新であるように、これらの設定／再設定及びＵＥに提供されるアクティブ化情報をＤＵ及びＣＵが交換するというものである。
【０１００】
図１２は、いくつかの実施形態による、ワイヤレスネットワークを示す。本明細書に記載の主題は、任意の適切な構成要素を使用する任意の適切なタイプのシステムにおいて実装され得るが、本明細書で開示される実施形態は、図１２に示された例示的ワイヤレスネットワークなど、ワイヤレスネットワークに関連して説明される。簡単にするために、図１２のワイヤレスネットワークは、ネットワーク１０６、ネットワークノード１６０及び１６０ｂ、並びにＷＤ１１０、１１０ｂ、及び１１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１６０及びワイヤレスデバイス（ＷＤ）１１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【０１０１】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【０１０２】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【０１０３】
ネットワークノード１６０及びＷＤ１１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【０１０４】
図１３は、ある種の実施形態による、例示的ネットワークノード１６０を示す。本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【０１０５】
図１３において、ネットワークノード１６０は、処理回路１７０、デバイス可読媒体１８０、インターフェース１９０、補助機器１８４、電源１８６、電力回路１８７、及びアンテナ１６２を含む。図１２の例示的ワイヤレスネットワークに示されたネットワークノード１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【０１０６】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥースワイヤレス技術など、ネットワークノード１６０に統合された異なるワイヤレス技術のための様々な図示された構成要素の複数のセットを含み得る。これらのワイヤレス技術は、ネットワークノード１６０内の同じ又は異なるチップ又はチップのセット及び他の構成要素内に統合され得る。
【０１０７】
処理回路１７０は、ネットワークノードによって提供されているものとして本明細書に記載された任意の判定、計算又は類似の動作（たとえば、ある種の取得動作）を実行するように設定される。処理回路１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【０１０８】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。たとえば、処理回路１７０は、デバイス可読媒体１８０に又は処理回路１７０内のメモリに記憶された命令を実行し得る。そのような機能性は、本明細書で論じられる様々なワイヤレス特徴、機能、又は利益のいずれかの提供を含み得る。一部の実施形態では、処理回路１７０は、システムオンチップ（ＳＯＣ）を含み得る。
【０１０９】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【０１１０】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及びワイヤレスネットワークによって享受される。
【０１１１】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【０１１２】
インターフェース１９０は、ネットワークノード１６０、ネットワーク１０６、及び／又はＷＤ１１０の間のシグナリング及び／又はデータのワイヤード又はワイヤレス通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、ワイヤレス接続を介して他のネットワークノード又はＷＤに送出されることになるデジタルデータを受信し得る。無線フロントエンド回路１９２は、フィルタ１９８及び／又は増幅器１９６の組合せを使用する適切なチャンネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【０１１３】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、そして、インターフェース１９０は、デジタルユニット（図示せず）の一部であるベースバンド処理回路１７４と通信し得る。
【０１１４】
アンテナ１６２は、ワイヤレス信号を送信及び／又は受信するように設定された、１つ又は複数のアンテナ、又はアンテナアレイを含み得る。アンテナ１６２は、無線フロントエンド回路１９０に結合され得、ワイヤレスにデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【０１１５】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【０１１６】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１０６の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【０１１７】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図１に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【０１１８】
図１４は、ある種の実施形態による、例示的ワイヤレスデバイス（ＷＤ）１１０を示す。本明細書では、ＷＤは、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイル���もよく、その場合、それはモバイルデバイス又はモバイル端末とも称され得る。
【０１１９】
図１４に示されているように、ワイヤレスデバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１１０によってサポートされる異なるワイヤレス技術のための、図示された構成要素のうちの１つ又は複数の構成要素の複数のセットを含み得る。これらのワイヤレス技術は、ＷＤ１１０内の他の構成要素と同じ又は異なるチップ又はチップのセットに統合され得る。
【０１２０】
アンテナ１１１は、ワイヤレス信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【０１２１】
図１４に示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。無線フロントエンド回路１１２は、ワイヤレス接続を介して他のネットワークノード又はＷＤに送出されることになるデジタルデータを受信し得る。無線フロントエンド回路１１２は、フィルタ１１８及び／又は増幅器１１６の組合せを使用して適切なチャンネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【０１２２】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【０１２３】
図１４に示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【０１２４】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。それらの特定の実施形態のいずれかにおいて、デバイス可読記憶媒体に記憶された命令を実行してもしなくても、処理回路１２０は、記載された機能性を実行するように設定することができる。そのような機能性によって提供される利益は、単独で処理回路１２０に又はＷＤ１１０の他の構成要素に限定されず、全体としてのＷＤ１１０によって、及び／又は一般にエンドユーザ及びワイヤレスネットワークによって、享受される。
【０１２５】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【０１２６】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合されたものとして考えられ得る。
【０１２７】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又はワイヤレスネットワークと通信することができ、それらが本明細書に記載の機能性から利益を得ることを可能にし得る。
【０１２８】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【０１２９】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【０１３０】
図１５は、ある種の実施形態による、例示的ＵＥ２００を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図２に示されているような、ＵＥ２００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図１１はＵＥであるが、本明細書で論じられる構成要素は、ＷＤに同等に適用可能であり、逆もまた同様である。
【０１３１】
図１５では、ＵＥ２００は、入力／出力インターフェース２０５、無線周波数（ＲＦ）インターフェース２０９、ネットワーク接続インターフェース２１１、ランダムアクセスメモリ（ＲＡＭ）２１７、読取り専用メモリ（ＲＯＭ）２１９、及び記憶媒体２２１などを含むメモリ２１５、通信サブシステム２３１、電源２３３、及び／又は任意の他の構成要素、或いはその任意の組合せに動作可能なように連結された、処理回路２０１を含む。記憶媒体２２１は、オペレーティングシステム２２３、アプリケーションプログラム２２５、及びデータ２２７を含む。他の実施形態において、記憶媒体２２１は、他の類似のタイプの情報を含み得る。ある種のＵＥは、図２に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１３２】
図１５では、処理回路２０１は、コンピュータ命令及びデータを処理するように設定され得る。処理回路２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２０１は、２つの中央処理装置（ＣＰＵ）を含み得る。データは、コンピュータによる使用に適した形の情報でもよい。
【０１３３】
図示された実施形態では、入力／出力インターフェース２０５は、通信インターフェースを入力デバイス、出力デバイス、或いは、入力及び出力デバイスに提供するように設定され得る。ＵＥ２００は、入力／出力インターフェース２０５を介して出力デバイスを使用するように設定され得る。出力デバイスは、入力デバイスと同じタイプのインターフェースポートを使用し得る。たとえば、ＵＳＢポートは、ＵＥ２００への入力及びＵＥ２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ２００は、ユーザがＵＥ２００内に情報をキャプチャすることを可能にするために入力／出力インターフェース２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１３４】
図１５では、ＲＦインターフェース２０９は、送信器、受信器、及びアンテナなどのＲＦ構成要素に通信インターフェースを提供するように設定され得る。ネットワーク接続インターフェース２１１は、通信インターフェースをネットワーク２４３ａに提供するように設定され得る。ネットワーク２４３ａは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１３５】
ＲＡＭ２１７は、オペレーティングシステム、アプリケーションプログラム、及びデバイスドライバなどのソフトウェアプログラムの実行中にデータ又はコンピュータ命令の記憶又はキャッシュを行うために処理回路２０１にバス２０２を介してインターフェースするように設定され得る。ＲＯＭ２１９は、コンピュータ命令又はデータを処理回路２０１に提供するように設定され得る。たとえば、ＲＯＭ２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２１は、オペレーティングシステム２２３、ウェブブラウザアプリケーションなどのアプリケーションプログラム２２５、ウィジェット若しくはガジェットエンジン又は別のアプリケーション、及びデータファイル２２７を含むように設定され得る。記憶媒体２２１は、ＵＥ２００によって使用するために、バラエティ豊かな様々なオペレーティングシステムのいずれか又はオペレーティングシステムの組合せを記憶し得る。
【０１３６】
記憶媒体２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２１において有形に実施され得る。
【０１３７】
図１５において、処理回路２０１は、通信サブシステム２３１を使用するネットワーク２４３ｂと通信するように設定され得る。ネットワーク２４３ａ及びネットワーク２４３ｂは、１つ又は複数の同じネットワーク或いは１つ又は複数の異なるネットワークでもよい。通信サブシステム２３１は、ネットワーク２４３ｂと通信するために使用される１つ又は複数のトランシーバを含むように設定され得る。たとえば、通信サブシステム２３１は、ＩＥＥＥ８０２．５、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２３３及び／又は受信器２３５を含み得る。さらに、各トランシーバの送信器２３３及び受信器２３５は、回路構成要素、ソフトウェア又はファームウェアを共用し得る、或いは別法として別個に実装され得る。
【０１３８】
図示された実施形態において、通信サブシステム２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２３１は、セルラ通信、Ｗｉ−Ｆｉ通信、ブルートゥース通信、及びＧＰＳ通信を含み得る。ネットワーク２４３ｂは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク２４３ｂは、セルラネットワーク、Ｗｉ−Ｆｉネットワーク、及び／又は近距離無線ネットワークでもよい。電源２１３は、交流（ＡＣ）又は直流（ＤＣ）電力をＵＥ２００の構成要素に提供するように設定され得る。
【０１３９】
本明細書に記載の特徴、利益及び／又は機能は、ＵＥ２００の構成要素のうちの１つにおいて実装され得る、又はＵＥ２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２３１は、本明細書に記載の構成要素のいずれかを含むように設定され得る。さらに、処理回路２０１は、バス２０２を介してそのような構成要素のいずれかと通信するように設定され得る。別の例では、そのような構成要素のいずれかは、処理回路２０１によって実行されたときに本明細書に記載の対応する機能を実行するメモリに記憶されたプログラム命令によって表され得る。別の例では、そのような構成要素のうちのいずれかの構成要素の機能性は、処理回路２０１と通信サブシステム２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１４０】
図１６は、一部の実施形態によって実装される機能が仮想化され得る例示的仮想化環境３００を示す。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１４１】
一部の実施形態では、本明細書に記載の機能の一部又はすべては、ハードウェアノード３３０のうちの１つ又は複数によってホストされる１つ又は複数の仮想環境３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１４２】
本機能は、本明細書で開示される実施形態のうちのいくつかの実施形態の特徴、機能、及び／又は利益のうちのいくつかを実装するように動作可能な１つ又は複数のアプリケーション３２０（ソフトウェアインスタンス、仮想アプライアンス、ネットワーク機能、仮想ノード、仮想ネットワーク機能などと別称され得る）によって実装され得る。アプリケーション３２０は、処理回路３６０及びメモリ３９０を備えるハードウェア３３０を提供する仮想化環境３００において実行される。メモリ３９０は、処理回路３６０によって実行可能な命令３９５を含み、それにより、アプリケーション３２０は、本明細書で開示される特徴、利益、及び／又は機能のうちの１つ又は複数を提供するように動作可能である。
【０１４３】
仮想化環境３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路３６０を備えた、汎用又は専用ネットワークハードウェアデバイス３３０を備える。各ハードウェアデバイスは、命令３９５又は処理回路３６０によって実行されるソフトウェアを一時的に記憶するための非永続メモリでもよいメモリ３９０−１を備え得る。各ハードウェアデバイスは、物理ネットワークインターフェース３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）３７０を備え得る。各ハードウェアデバイスはまた、ソフトウェア３９５がそこに記憶された非一時的、永続的、マシン可読記憶媒体３９０−２、及び／又は処理回路３６０によって実行可能な命令を含み得る。ソフトウェア３９５は、１つ又は複数の仮想化レイヤ３５０（ハイパーバイザとも呼ばれる）のインスタンスを作成するためのソフトウェア、仮想マシン３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１４４】
仮想マシン３４０は、仮想処理、仮想メモリ、仮想ネットワーキング又はインターフェース及び仮想ストレージを備え、対応する仮想化レイヤ３５０又はハイパーバイザによって実行され得る。仮想アプライアンス３２０のインスタンスの異なる実施形態は、仮想マシン３４０のうちの１つ又は複数で実装され得、実装形態は、異なる形で行われ得る。
【０１４５】
動作中、処理回路３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ３５０のインスタンスを作成するために、ソフトウェア３９５を実行する。仮想化レイヤ３５０は、仮想マシン３４０にネットワーキングハードウェアのように見える仮想オペレーティングプラットフォームを示し得る。
【０１４６】
図３に示されるように、ハードウェア３３０は、一般又は特定の構成要素を有するスタンドアロンネットワークノードでもよい。ハードウェア３３０は、アンテナ３２２５を備え得、仮想化を介していくつかの機能を実装し得る。別法として、ハードウェア３３０は、多数のハードウェアノードが連携する及び、とりわけアプリケーション３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）３１００を介して管理される、ハードウェアのより大きなクラスタ（たとえば、データセンタ又は顧客構内機器（ＣＰＥ）内など）の一部でもよい。
【０１４７】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１４８】
ＮＦＶとの関連で、仮想マシン３４０は、プログラムが物理的な非仮想化マシンで実行していたかのようにプログラムを実行する物理マシンのソフトウェア実装形態でもよい。それぞれの仮想マシン３４０、及びその仮想マシンを実行するハードウェア３３０のその部分は、それがその仮想マシン専用のハードウェア及び／又は他の仮想マシン３４０とその仮想マシンによって共用されるハードウェアであれば、別個の仮想ネットワーク要素（ＶＮＥ）を形成する。
【０１４９】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ３３０の最上部の１つ又は複数の仮想マシン３４０において実行する特定のネットワーク機能を処理する責任を有し、図３のアプリケーション３２０に対応する。
【０１５０】
一部の実施形態では、１つ又は複数の送信器３２２０及び１つ又は複数の受信器３２１０をそれぞれ含む１つ又は複数の無線ユニット３２００は、１つ又は複数のアンテナ３２２５に連結され得る。無線ユニット３２００は、１つ又は複数の適切なネットワークインターフェースを介してハードウェアノード３３０と直接通信することができ、無線アクセスノード又は基地局などの無線能力を有する仮想ノードを提供するために仮想構成要素と組み合わせて使用され得る。
【０１５１】
一部の実施形態では、一部のシグナリングは、別法としてハードウェアノード３３０と無線ユニット３２００との間の通信のために使用され得る制御システム３２３０の使用の影響を受け得る。
【０１５２】
図１７は、一部の実施形態による、中間ネットワークを介してホストコンピュータに接続された電気通信ネットワークを示す。図１７を参照すると、一実施形態によれば、通信システムは、無線アクセスネットワークなどのアクセスネットワーク４１１及びコアネットワーク４１４を備える、３ＧＰＰタイプのセルラネットワークなどの電気通信ネットワーク４１０を含む。アクセスネットワーク４１１は、それぞれが対応するカバレッジエリア４１３ａ、４１３ｂ、４１３ｃを規定する、ＮＢ、ｅＮＢ、ｇＮＢ又は他のタイプのワイヤレスアクセスポイントなどの複数の基地局４１２ａ、４１２ｂ、４１２ｃを備える。各基地局４１２ａ、４１２ｂ、４１２ｃは、ワイヤード又はワイヤレス接続４１５を介してコアネットワーク４１４に接続可能である。カバレッジエリア４１３ｃ内に置かれた第１のＵＥ４９１は、対応する基地局４１２ｃにワイヤレスで接続される又は対応する基地局４１２ｃによってページングされるように設定され得る。カバレッジエリア４１３ａ内の第２のＵＥ４９２は、対応する基地局４１２ａにワイヤレスに接続可能である。複数のＵＥ４９１、４９２が本例では図示されているが、開示される実施形態は、唯一のＵＥがカバレッジエリア内にある又は唯一のＵＥが対応する基地局４１２に接続している状況に同等に適用可能である。
【０１５３】
電気通信ネットワーク４１０自体は、ホストコンピュータ４３０に接続され、ホストコンピュータ４３０は、スタンドアロンサーバ、クラウド実装されたサーバ、分散型サーバのハードウェア及び／又はソフトウェアにおいて或いはサーバファーム内の処理資源として実施され得る。ホストコンピュータ４３０は、サービスプロバイダの所有権又は制御の下にあってもよく、或いはサービスプロバイダによって又はサービスプロバイダのために動作させられ得る。電気通信ネットワーク４１０とホストコンピュータ４３０との接続４２１及び４２２は、コアネットワーク４１４からホストコンピュータ４３０に直接延びてもよく、或いはオプションの中間ネットワーク４２０を介してもよい。中間ネットワーク４２０は、パブリックネットワーク、プライベートネットワーク又はホスト型ネットワークのうちの１つ、又はそれらのうちの２つ以上の組合せでもよく、中間ネットワーク４２０は、もしあるなら、バックボーンネットワーク又はインターネットでもよく、具体的には、中間ネットワーク４２０は、２つ以上のサブネットワーク（図示せず）を備え得る。
【０１５４】
全体としての図４の通信システムは、接続されたＵＥ４９１、４９２及びホストコンピュータ４３０の間の接続性を有効にする。接続性は、オーバーザトップ（ＯＴＴ：ｏｖｅｒ−ｔｈｅ−ｔｏｐ）接続４５０として説明され得る。ホストコンピュータ４３０及び接続されたＵＥ４９１、４９２は、媒介としてアクセスネットワーク４１１、コアネットワーク４１４、任意の中間ネットワーク４２０及び可能なさらなるインフラストラクチャ（図示せず）を使用し、ＯＴＴ接続４５０を介してデータ及び／又はシグナリングを通信するように設定される。ＯＴＴ接続４５０は、ＯＴＴ接続４５０が通過する参加通信デバイスはアップリンク及びダウンリンク通信のルーティングを認識しないという意味で、透過的になり得る。たとえば、基地局４１２は、接続されたＵＥ４９１に転送される（たとえば、ハンドオーバされる）ことになるホストコンピュータ４３０に由来するデータとの着信ダウンリンク通信の過去のルーティングに関して知らされないことがある、又は知らされる必要はない。同様に、基地局４１２は、ＵＥ４９１からホストコンピュータ４３０に向けて始められる外向きのアップリンク通信の未来のルーティングを認識する必要はない。
【０１５５】
図１８は、いくつかの実施形態による、部分的にワイヤレスな接続を介してユーザ機器と基地局を介して通信するホストコンピュータを示す。前段落で論じられたＵＥ、基地局及びホストコンピュータの一実施形態による例示的実装形態について、図１８を参照して、ここで説明する。通信システム５００では、ホストコンピュータ５１０は、通信システム５００の異なる通信デバイスのインターフェースとのワイヤード又はワイヤレス接続をセットアップ及び維持するように設定された通信インターフェース５１６を含むハードウェア５１５を備える。ホストコンピュータ５１０はさらに、ストレージ及び／又は処理能力を有し得る処理回路５１８を備える。具体的には、処理回路５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ５１０はさらに、ホストコンピュータ５１０に記憶された若しくはこれによってアクセス可能な及び処理回路５１８によって実行可能な、ソフトウェア５１１を備える。ソフトウェア５１１は、ホストアプリケーション５１２を含む。ホストアプリケーション５１２は、ＵＥ５３０及びホストコンピュータ５１０で終了するＯＴＴ接続５５０を介して接続するＵＥ５３０など、リモートユーザにサービスを提供するように動作可能になり得る。サービスのリモートユーザへの提供において、ホストアプリケーション５１２は、ＯＴＴ接続５５０を使用して送信されるユーザデータを提供し得る。
【０１５６】
通信システム５００はさらに、電気通信システムにおいて提供される並びにホストコンピュータ５１０と及びＵＥ５３０とそれが通信することを可能にするハードウェア５２５を備える、基地局５２０を含む。ハードウェア５２５は、通信システム５００の異なる通信デバイスのインターフェースとのワイヤード又はワイヤレス接続をセットアップ及び維持するための通信インターフェース５２６、並びに基地局５２０によってサービスされるカバレッジエリア（図１８には図示せず）内に置かれたＵＥ５３０とのワイヤレス接続５７０を少なくともセットアップ及び維持するための無線インターフェース５２７を含み得る。通信インターフェース５２６は、ホストコンピュータ５１０への接続５６０を円滑にするように設定され得る。接続５６０は直接でもよく、或いは、接続５６０は、電気通信システムのコアネットワーク（図１８には図示せず）を通過及び／又は電気通信システム外部の１つ又は複数の中間ネットワークを通過してもよい。示された実施形態において、基地局５２０のハードウェア５２５は、１つ又は複数のプログラマブルプロセッサ、特定用途向け集積回路、フィールドプログラマブルゲートアレイ又は命令を実行するようになされたこれらの組合せ（図示せず）を含み得る、処理回路５２８をさらに含む。基地局５２０はさらに、内部に記憶された又は外部接続を介してアクセス可能なソフトウェア５２１を有する。
【０１５７】
通信システム５００はさらに、既に言及されたＵＥ５３０を含む。それのハードウェア５３５は、ＵＥ５３０が現在位置しているカバレッジエリアにサーブする基地局とのワイヤレス接続５７０をセットアップ及び保持するように設定された無線インターフェース５３７を含み得る。ＵＥ５３０のハードウェア５３５はさらに、１つ又は複数のプログラマブルプロセッサ、特定用途向け集積回路、フィールドプログラマブルゲートアレイ又は命令を実行するようになされたこれらの組合せ（図示せず）を含み得る、処理回路５３８を含む。ＵＥ５３０はさらに、ＵＥ５３０に記憶された若しくはＵＥ５３０によってアクセス可能な及び処理回路５３８によって実行可能な、ソフトウェア５３１を備える。ソフトウェア５３１は、クライアントアプリケーション５３２を含む。クライアントアプリケーション５３２は、ホストコンピュータ５１０の支援を有して、ＵＥ５３０を介して人間の又は人間ではないユーザにサービスを提供するように動作可能になり得る。ホストコンピュータ５１０では、実行中のホストアプリケーション５１２は、ＵＥ５３０及びホストコンピュータ５１０で終了するＯＴＴ接続５５０を介して実行中のクライアントアプリケーション５３２と通信し得る。ユーザへのサービスの提供において、クライアントアプリケーション５３２は、要求データをホストアプリケーション５１２から受信し、要求データに応答してユーザデータを提供することができる。ＯＴＴ接続５５０は、要求データ及びユーザデータの両方を転送することができる。クライアントアプリケーション５３２は、それが提供するユーザデータを生成するために、ユーザと対話することができる。
【０１５８】
図１８に示されたホストコンピュータ５１０と、基地局５２０と、ＵＥ５３０とは、それぞれ、図４のホストコンピュータ４３０と、基地局４１２ａ、４１２ｂ、４１２ｃのうちの１つと、ＵＥ４９１、４９２のうちの１つと類似する又は同一であってもよいことに留意されたい。すなわち、これらのエンティティの内部の動きは、図１８に示されるようでもよく、独立して、周囲のネットワークトポロジは、図４のそれでもよい。
【０１５９】
図１８において、ＯＴＴ接続５５０は、媒介デバイスの明示的参照及びこれらのデバイスを介するメッセージの正確なルーティングなしに、基地局５２０を介するホストコンピュータ５１０とＵＥ５３０との通信を説明するために抽象的に描かれてある。ネットワークインフラストラクチャは、ルーティングを判定することができ、それは、ＵＥ５３０から若しくはサービスプロバイダオペレーティングホストコンピュータ５１０から又はその両方から隠すように設定され得る。ＯＴＴ接続５５０がアクティブである間、ネットワークインフラストラクチャは、それがルーティングを動的に変更する判定（たとえば、ネットワークの負荷バランシング検討又は再設定に基づく）をさらに行うことができる。
【０１６０】
ＵＥ５３０と基地局５２０との間のワイヤレス接続５７０は、本開示を通じて説明される実施形態の教示に従う。様々な実施形態のうちの１つ又は複数は、ワイヤレス接続５７０が最後のセグメントを形成する、ＯＴＴ接続５５０を使用してＵＥ５３０に提供されるＯＴＴサービスのパフォーマンスを改善する。より詳細には、これらの実施形態の教示は、セル内可動性によるＲＲＣシグナリングを最小限に抑える又は回避することによって、ＲＲＣシグナリングを改善することができる。これは、ユーザ体験の改善及びワイヤレスリソースのよりよい使用などの利益をもたらすことができる。
【０１６１】
測定手続きは、１つ又は複数の実施形態が改善するモニタリングデータレート、レイテンシ及び他の要因を目的として、提供され得る。測定結果の変動に応答して、ホストコンピュータ５１０とＵＥ５３０との間のＯＴＴ接続５５０を再設定するためのオプションのネットワーク機能性がさらに存在し得る。測定手続き及び／又はＯＴＴ接続５５０を再設定するためのネットワーク機能性は、ホストコンピュータ５１０のソフトウェア５１１及びハードウェア５１５において、又はＵＥ５３０のソフトウェア５３１及びハードウェア５３５において、又はその両方で実装され得る。実施形態において、センサ（図示せず）は、ＯＴＴ接続５５０が通過する通信デバイスにおいて又はそのような通信デバイスに関連して配備され得、センサは、上記で例示されたモニタされる数量の値を供給すること、或いはそこからソフトウェア５１１、５３１がモニタされる数量を計算又は推定し得る他の物理数量の値を供給することによって、測定手続きに参加し得る。ＯＴＴ接続５５０の再設定は、メッセージフォーマット、再送信設定、好ましいルーティングなどを含み得、再設定は基地局５２０に影響を及ぼす必要はなく、そして、それは基地局５２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ５１０の測定を円滑にする占有ＵＥシグナリングを含み得る。ソフトウェア５１１及び５３１が、ＯＴＴ接続５５０を使用し、それが伝搬時間、エラーなどをモニタする間に、メッセージ、具体的には空の又は「ダミー」メッセージ、を送信させるので、測定は実装され得る。
【０１６２】
図１９は、１つの実施形態による、通信システムにおいて実装される方法を示す流れ図である。通信システムは、図１７及び１８を参照して説明されるものでもよいホストコンピュータ、基地局及びＵＥを含む。本開示を簡単にするために、図１９のみの図面の参照が、このセクションに含まれることになる。ステップ６１０において、ホストコンピュータはユーザデータを提供する。ステップ６１０のサブステップ６１１（オプションでもよい）では、ホストコンピュータは、ホストアプリケーションを実行することによって、ユーザデータを提供する。ステップ６２０では、ホストコンピュータは、ユーザデータをＵＥに運ぶ送信を開始する。ステップ６３０（オプションでもよい）では、基地局が、本開示を通して説明される実施形態の教示に従って、ホストコンピュータが開始した送信において運ばれたユーザデータをＵＥに送信する。ステップ６４０（やはりオプションでもよい）で、ＵＥは、ホストコンピュータによって実行されるホストアプリケーションに関連するクライアントアプリケーションを実行する。
【０１６３】
図２０は、１つの実施形態による、通信システムにおいて実装される方法を示す流れ図である。通信システムは、図１７及び１８を参照して説明されるものでもよいホストコンピュータ、基地局及びＵＥを含む。本開示を簡単にするために、図２０の図面の参照のみが、このセクションに含まれることになる。本方法のステップ７１０において、ホストコンピュータはユーザデータを提供する。オプションのサブステップ（図示せず）において、ホストコンピュータは、ホストアプリケーションを実行することによって、ユーザデータを提供する。ステップ７２０で、ホストコンピュータは、ユーザデータをＵＥに運ぶ送信を開始する。送信は、本開示を通して説明される実施形態の教示によれば、基地局を通り得る。ステップ７３０（オプションでもよい）で、ＵＥは、その送信で運ばれたユーザデータを受信する。
【０１６４】
図２１は、１つの実施形態による、通信システムにおいて実装される方法を示す流れ図である。通信システムは、図１７及び１８を参照して説明されるものでもよいホストコンピュータ、基地局及びＵＥを含む。本開示を簡単にするために、図２１の図面の参照のみが、このセクションに含まれることになる。ステップ８１０（オプションでもよい）で、ＵＥは、ホストコンピュータによって提供された入力データを受信する。追加で又は別法として、ステップ８２０で、ＵＥはユーザデータを提供する。ステップ８２０のサブステップ８２１（オプションでもよい）で、ＵＥは、クライアントアプリケーションを実行することによって、ユーザデータを提供する。ステップ８１０のサブステップ８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式に関わらず、ＵＥは、サブステップ８３０（オプションでもよい）で、ユーザデータのホストコンピュータへの送信を開始する。本方法のステップ８４０において、ホストコンピュータは、本開示を通して説明される実施形態の教示によれば、ＵＥから送信されたユーザデータを受信する。
【０１６５】
図２２は、１つの実施形態による、通信システムにおいて実装された方法を示す流れ図である。通信システムは、図１７及び１８を参照して説明されるものでもよいホストコンピュータ、基地局及びＵＥを含む。本開示を簡単にするために、図２２の図面の参照のみが、このセクションに含まれることになる。ステップ９１０（オプションでもよい）において、本開示を通して説明される実施形態の教示に従って、基地局は、ユーザデータをＵＥから受信する。ステップ９２０（オプションでもよい）で、基地局は、受信されたユーザデータのホストコンピュータへの送信を開始する。ステップ９３０（オプションでもよい）で、ホストコンピュータは、基地局によって開始された送信で運ばれたユーザデータを受信する。
【０１６６】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る、メモリに記憶されたプログラムコードを実行するように設定され得る。メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、本開示の１つ又は複数の実施形態による対応する機能をそれぞれの機能ユニットに実行させるために使用され得る。
【０１６７】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、受信器、送信器、メモリ、ロジックソリッドステート及び／又はディスクリートデバイス、それぞれのタスク、手続き、計算、出力、及び／又は表示機能を実行するためのコンピュータプログラム又は命令などを含み得る。
【０１６８】
図２３は、ある種の実施形態による、ＲＬＭ及びビームモニタリングの最適化された再設定のためのワイヤレスデバイス１１０による例示的方法１０００を示す。本方法は、ワイヤレスデバイス１１０が、第１のネットワークノード１６０から、少なくとも１つのＲＬＭパラメータを含む第１のメッセージを受信するとき、ステップ１０１０で開始する。ステップ１０２０において、ワイヤレスデバイス１１０は、第１のメッセージに関連する少なくとも１つのＲＬＭパラメータのアクティブ化を指示する第２のメッセージを、第１のネットワークノード１６０から受信する。第２のメッセージは、第１のメッセージと比較して下位レイヤ信号である。
【０１６９】
特定の一実施形態によれば、第１のメッセージが、無線リソース制御（ＲＲＣ）信号として受信され、第２のメッセージが、媒体アクセス制御（ＭＡＣ）制御要素として受信される。
【０１７０】
特定の一実施形態によれば、少なくとも１つのＲＬＭパラメータは、第１のＲＬＭパラメータ及び第２のＲＬＭパラメータを含む。第１のＲＬＭパラメータは、第１のセットの参照信号リソースに関連し、第２のＲＬＭパラメータは、第２のセットの参照信号リソースに関連している。第２のセットの参照信号リソースは、第１のセットの参照信号リソースとは異なる。
【０１７１】
特定の一実施形態によれば、第１のセットの参照信号リソース及び第２のセットの参照信号リソースのそれぞれは、セルのカバレッジを提供するいくつかの参照信号リソースより少ない。
【０１７２】
特定の一実施形態によれば、本方法はさらに、第２のメッセージに基づいて少なくとも１つの参照信号リソースのＲＬＭを実行するワイヤレスデバイス１１０を含み、少なくとも１つの参照信号リソースは、少なくとも１つの同期信号ブロック（ＳＳＢ）又は少なくとも１つのチャンネル状態情報−参照信号（ＣＳＩ−ＲＳ）を含む。
【０１７３】
特定の一実施形態において、第２のメッセージの受信に応答して、ワイヤレスデバイス１１０は、第１のセットの参照信号リソース内の少なくとも１つの参照信号リソースを非アクティブ化する。
【０１７４】
特定の一実施形態において、第２のメッセージの受信に応答して、ワイヤレスデバイス１１０は、第１のセットの参照信号リソース内にない少なくとも１つの参照信号リソースをアクティブ化する。
【０１７５】
特定の一実施形態において、第１のメッセージは、参照信号タイプを識別し、第２のメッセージは、その参照信号タイプの１つ又は複数の参照信号リソースを識別する。
【０１７６】
ある種の実施形態において、前述のようなＲＬＭ及びビームモニタリングの最適化された再設定のための方法は、仮想コンピューティングデバイスによって実行され得る。図２４は、ある種の実施形態による、ＲＬＭ及びビームモニタリングの最適化された再設定のための例示的仮想コンピューティングデバイス１１００を示す。ある種の実施形態において、仮想コンピューティングデバイス１１００は、図２３に図解及び記述された方法に関して前述されたものと類似のステップを実行するためのモジュールを含み得る。たとえば、仮想コンピューティングデバイス１１００は、第１の受信モジュール１１１０、第２の受信モジュール１１２０、及びＲＬＭ及びビームモニタリングの最適化された再設定のための任意の他の適切なモジュールを含み得る。いくつかの実施形態において、モジュールのうちの１つ又は複数は、図１３の１つ又は複数のプロセッサ１７０を使用して、実装され得る。ある種の実施形態において、様々なモジュールのうちの２つ以上のモジュールの機能は、単一モジュールに結合され得る。
【０１７７】
第１の受信モジュール１１１０は、仮想コンピューティングデバイス１１００の受信機能のうちのいくらかを実行し得る。たとえば、特定の実施形態において、第１の受信モジュール１１１０は、少なくとも１つのＲＬＭパラメータを含む第１のメッセージを、第１のネットワークノード１６０から受信し得る。
【０１７８】
第２の受信モジュール１１２０は、仮想コンピューティングデバイス１１００の受信機能のうちの他のいくらかを実行し得る。たとえば、特定の実施形態において、第２の受信モジュール１１１０は、第１のメッセージに関連する少なくとも１つのＲＬＭパラメータのアクティブ化を指示する第２のメッセージを、第１のネットワークノード１６０から受信し得る。第２のメッセージは、第１のメッセージと比較して下位レイヤ信号である。
【０１７９】
仮想コンピューティングデバイス１１００の他の実施形態は、前述の機能性及び／又は任意の追加の機能性のいずれかを含む（前述の解決法をサポートするために必要な任意の機能性を含む）、ワイヤレスデバイスの機能性のある特定の態様を提供する責任を有し得る図２４に示されたもの以上の追加の構成要素を含み得る。様々な異なるタイプのワイヤレスデバイス１１０は、同じ物理ハードウェアを有するが異なる無線アクセス技術をサポートするように設定された（たとえば、プログラミングを介して）構成要素を含み得る、或いは部分的に又は完全に異なる物理構成要素を表し得る。
【０１８０】
図２５は、ある種の実施形態による、ＲＬＭ及びビームモニタリングの最適化された再設定のためのネットワークノード１６０による例示的方法１２００を示す。本方法は、ネットワークノード１６０が、少なくとも１つのＲＬＭパラメータを含む第１のメッセージを、ワイヤレスデバイス１１０に送るとき、ステップ１２１０で開始する。ステップ１２２０で、ネットワークノード１６０は、第１のメッセージに関連する少なくとも１つのＲＬＭパラメータのアクティブ化を指示する第２のメッセージを、ワイヤレスデバイス１１０に送る。第２のメッセージは、第１のメッセージと比較して下位レイヤ信号である。
【０１８１】
特定の一実施形態によれば、第１のメッセージは、無線リソース制御（ＲＲＣ）信号として送られ、第２のメッセージは、媒体アクセス制御（ＭＡＣ）制御要素として送られる。
【０１８２】
特定の一実施形態によれば、少なくとも１つのＲＬＭパラメータは、少なくとも１つの同期信号ブロック（ＳＳＢ）又は少なくとも１つのチャンネル状態情報−参照信号（ＣＳＩ−ＲＳ）に関連する。
【０１８３】
特定の一実施形態によれば、第２のメッセージは、ワイヤレスデバイスはセル内で移動したという判定に応答して、ワイヤレスデバイスに送られる。
【０１８４】
特定の一実施形態によれば、第１のメッセージは、参照信号タイプを識別し、第２のメッセージは、その参照信号タイプの１つ又は複数の参照信号リソースを識別する。
【０１８５】
特定の一実施形態によれば、少なくとも１つのＲＬＭパラメータは、第１のＲＬＭパラメータ及び第２のＲＬＭパラメータを含む。第１のＲＬＭパラメータは、第１のセットの参照信号リソースと関連しており、第２のＲＬＭパラメータは、第２のセットの参照信号リソースと関連している。第２のセットの参照信号リソースは、第１のセットの参照信号リソースとは異なる。
【０１８６】
特定の一実施形態によれば、第１のセットの参照信号リソース及び第２のセットの参照信号リソースのそれぞれは、セルのカバレッジを提供するいくつかの参照信号リソースより少ない。
【０１８７】
ある種の実施形態において、前述のようなＲＬＭ及びビームモニタリングの最適化された再設定のための方法は、仮想コンピューティングデバイスによって実行され得る。図２６は、ある種の実施形態による、ＲＬＭ及びビームモニタリングの最適化された再設定のための例示的仮想コンピューティングデバイス１３００を示す。ある種の実施形態において、仮想コンピューティングデバイス１３００は、図２５に図解及び記述された方法に関して前述されたものと類似のステップを実行するためのモジュールを含み得る。たとえば、仮想コンピューティングデバイス１１００は、第１の送信モジュール１３１０、第２の送信モジュール１３２０、及びＲＬＭ及びビームモニタリングの最適化された再設定のための任意の他の適切なモジュールを含み得る。いくつかの実施形態において、モジュールのうちの１つ又は複数は、図１４の１つ又は複数のプロセッサ１２０を使用して、実装され得る。ある種の実施形態において、様々なモジュールのうちの２つ以上のモジュールの機能が、単一のモジュールに結合され得る。
【０１８８】
第１の送信モジュール１３１０は、仮想コンピューティングデバイス１３００の送信機能のうちのいくらかを実行し得る。たとえば、特定の実施形態において、第１の送信モジュール１３１０は、少なくとも１つのＲＬＭパラメータを含む第１のメッセージを、ワイヤレスデバイス１１０に、送り得る。
【０１８９】
第２の送信モジュール１３２０は、仮想コンピューティングデバイス１３００の送信機能のうちの他のいくらかを実行し得る。たとえば、特定の一実施形態において、第２の送信モジュール１３１０は、第１のメッセージに関連する少なくとも１つのＲＬＭパラメータのアクティブ化を指示する第２のメッセージを、ワイヤレスデバイス１１０に、送り得る。第２のメッセージは、第１のメッセージと比較して下位レイヤ信号である。
【０１９０】
仮想コンピューティングデバイス１３００の他の実施形態は、前述の機能性及び／又は任意の追加の機能性のうちのいずれかを含む（前述の解決法をサポートするために必要な任意の機能性を含む）、ネットワークノードの機能性のある特定の態様を提供する責任を有し得る図２６に示されたもの以上の追加の構成要素を含み得る。様々な異なるタイプのネットワークノード１６０は、同じ物理ハードウェアを有するが異なる無線アクセス技術をサポートするように設定された（たとえば、プログラミングを介して）構成要素を含み得る、或いは部分的に又は完全に異なる物理構成要素を表し得る。
【０１９１】
いくつかの付加的例示的実施形態が、ここで説明される：
グループＡ実施形態
実施形態１．ＲＬＭ及びビームモニタリングの最適化された再設定のためのワイヤレスデバイスによって実行される方法であり、以下を含む方法：
−ＲＬＭパラメータを含む第１の設定メッセージを受信すること、
−更新されたＲＬＭパラメータを含む第２の設定メッセージを受信すること、そこで、第２の設定メッセージは、第１の設定メッセージと比較して下位レイヤ信号である。
【０１９２】
実施形態２．前述のステップ、手続き又は利益のうちのいずれかの任意の組合せをさらに含む、１の方法。
【０１９３】
実施形態３．さらに以下を含む、前の実施形態のいずれかの方法：
−ユーザデータを提供することと、
−基地局への送信を介してホストコンピュータにユーザデータを転送すること。
【０１９４】
グループＢ実施形態
実施形態４．以下を含む、ＲＬＭ及びビームモニタリングの最適化された再設定のために基地局によって実行される方法：
−ＲＬＭパラメータを含む第１の設定メッセージを送ることと、
−ＲＬＭパラメータを更新する必要性を検出することと、
−更新されたＲＬＭパラメータを含む第２の設定メッセージを送ること、そこで、第２の設定メッセージは、第１の設定メッセージと比較して下位レイヤ信号である。
【０１９５】
実施形態５．前述のステップ、手続き又は利益のいずれかの任意の組合せをさらに含む、４の方法。
【０１９６】
実施形態６．以下をさらに含む、前の実施形態のいずれかの方法：
−ユーザデータを取得することと、
−ユーザデータをホストコンピュータ又はワイヤレスデバイスに転送すること。
【０１９７】
グループＣ実施形態
実施形態７．ＲＬＭ及びビームモニタリングの最適化された再設定のためのワイヤレスデバイスであり、以下を備えるワイヤレスデバイス：
−グループＡ実施形態のうちのいずれかの実施形態のステップのうちのいずれかを実行するように設定された処理回路と、
−ワイヤレスデバイスに電力を供給するように設定された電源回路。
【０１９８】
実施形態８．ＲＬＭ及びビームモニタリングの最適化された再設定のための基地局であり、以下を備える基地局：
−グループＢ実施形態のうちのいずれかの実施形態のステップのうちのいずれかを実行するように設定された処理回路と、
−ワイヤレスデバイスに電力を供給するように設定された電源回路。
【０１９９】
実施形態９．ＲＬＭ及びビームモニタリングの最適化された再設定のためのユーザ機器（ＵＥ）であり、以下を備えるＵＥ：
−ワイヤレス信号を送る及び受信するように設定されたアンテナと、
−アンテナに及び処理回路に接続されており、アンテナと処理回路との間で通信される信号を調節するように設定された無線フロントエンド回路、
−グループＡ実施形態のうちのいずれかの実施形態のステップのうちのいずれかを実行するように設定された処理回路と、
−処理回路に接続されており、ＵＥへの情報の入力が処理回路によって処理されることを可能にするように設定された入力インターフェースと、
−処理回路に接続されており、処理回路によって処理されたＵＥからの情報を出力するように設定された出力インターフェースと、
−処理回路に接続されており、ＵＥに電力を供給するように設定されたバッテリ。
【０２００】
実施形態１０．以下を備えたホストコンピュータを含む通信システム：
−ユーザデータを提供するように設定された処理回路と、
−ユーザ機器（ＵＥ）への送信のためにセルラネットワークにユーザデータを転送するように設定された通信インターフェース、
−そこで、セルラネットワークは、無線インターフェース及び処理回路を有する基地局を備え、基地局の処理回路は、グループＢ実施形態のうちのいずれかの実施形態のステップのうちのいずれかのステップを実行するように設定されている。
【０２０１】
実施形態１１．基地局をさらに含む、前の実施形態の通信システム。
【０２０２】
実施形態１２．さらにＵＥを含む、前の２つの実施形態の通信システム、そこで、ＵＥは基地局と通信するように設定される。
【０２０３】
実施形態１３．前の３つの実施形態の通信システム、そこでは：
−ホストコンピュータの処理回路は、ホストアプリケーションを実行するように設定され、それによってユーザデータを提供する、そして、
−ＵＥは、ホストアプリケーションと関連するクライアントアプリケーションを実行するように設定された処理回路を備える。
【０２０４】
実施形態１４．ホストコンピュータ、基地局及びユーザ機器（ＵＥ）を含む通信システムにおいて実装される方法であって、以下を含む方法：
−ホストコンピュータにおいて、ユーザデータを提供することと、
−ホストコンピュータにおいて、基地局を備えたセルラネットワークを介してＵＥにユーザデータを運ぶ送信を開始すること、そこで、基地局は、グループＢ実施形態のうちのいずれかの実施形態のステップのうちのいずれかのステップを実行する。
【０２０５】
実施形態１５．基地局において、ユーザデータを送信することをさらに含む、前の実施形態の方法。
【０２０６】
実施形態１６．前の２つの実施形態の方法、そこで、ユーザデータは、ホストアプリケーションを実行することによってホストコンピュータにおいて提供され、本方法は、ＵＥにおいて、ホストアプリケーションと関連するクライアントアプリケーションを実行することをさらに含む。
【０２０７】
実施形態１７．基地局と通信するように設定されたユーザ機器（ＵＥ）であって、前の３つの実施形態を実行するように設定された無線インターフェース及び処理回路を備えたＵＥ。
【０２０８】
実施形態１８．以下を備えた、ホストコンピュータを含む通信システム：
−ユーザデータを提供するように設定された処理回路と、
−ユーザ機器（ＵＥ）への送信のためにセルラネットワークにユーザデータを転送するように設定された通信インターフェース、
−そこで、ＵＥは、無線インターフェース及び処理回路を備え、ＵＥの構成要素は、グループＡ実施形態のうちのいずれかの実施形態のステップのうちのいずれかのステップを実行するように設定される。
【０２０９】
実施形態１９．前の実施形態の通信システム、そこで、セルラネットワークは、ＵＥと通信するように設定された基地局をさらに含む。
【０２１０】
実施形態２０．前の２つの実施形態の通信システム、そこで：
−ホストコンピュータの処理回路は、ホストアプリケーションを実行するように設定され、それによってユーザデータを提供する、そして、
−ＵＥの処理回路は、ホストアプリケーションと関連するクライアントアプリケーションを実行するように設定される。
【０２１１】
実施形態２１．ホストコンピュータ、基地局及びユーザ機器（ＵＥ）を含む通信システムにおいて実装される方法であって、以下を含む方法：
−ホストコンピュータにおいて、ユーザデータを提供することと、
−ホストコンピュータにおいて、基地局を備えたセルラネットワークを介してＵＥにユーザデータを運ぶ送信を開始すること、そこで、ＵＥは、グループＡ実施形態のうちのいずれかの実施形態のステップのうちのいずれかのステップを実行する。
【０２１２】
実施形態２２．ＵＥにおいて、基地局からユーザデータを受信することをさらに含む、前の実施形態の方法。
【０２１３】
実施形態２３．以下を備えたホストコンピュータを含む通信システム：
−ユーザ機器（ＵＥ）から基地局への送信に由来するユーザデータを受信するように設定された通信インターフェース、
−そこで、ＵＥは、無線インターフェース及び処理回路を備え、ＵＥの処理回路は、グループＡ実施形態のうちのいずれかの実施形態のステップのうちのいずれかのステップを実行するように設定される。
【０２１４】
実施形態２４．ＵＥをさらに含む、前の実施形態の通信システム。
【０２１５】
実施形態２５．基地局をさらに含む、前の２つの実施形態の通信システムであって、そこで、基地局は、ＵＥと通信するように設定された無線インターフェースと、ＵＥから基地局への送信によって運ばれたユーザデータをホストコンピュータに転送するように設定された通信インターフェースとを含む。
【０２１６】
実施形態２６．前の３つの実施形態の通信システム、そこでは：
−ホストコンピュータの処理回路は、ホストアプリケーションを実行するように設定され、そして、
−ＵＥの処理回路は、ホストアプリケーションと関連するクライアントアプリケーションを実行するように設定され、それによってユーザデータを提供する。
【０２１７】
実施形態２７．前の４つの実施形態の通信システム、そこでは：
−ホストコンピュータの処理回路は、ホストアプリケーションを実行するように設定され、それによって要求データを提供し、そして、
−ＵＥの処理回路は、ホストアプリケーションと関連するクライアントアプリケーションを実行するように設定され、それによって要求データに応答してユーザデータを提供する。
【０２１８】
実施形態２８．ホストコンピュータ、基地局及びユーザ機器（ＵＥ）を含む通信システムにおいて実装される方法であって、以下を含む方法：
−ホストコンピュータにおいて、ＵＥから基地局に送信されるユーザデータを受信すること、そこで、ＵＥは、グループＡ実施形態のうちのいずれかの実施形態のステップのうちのいずれかのステップを実行する。
【０２１９】
実施形態２９．ＵＥにおいて、基地局にユーザデータを提供することをさらに含む、前の実施形態の方法。
【０２２０】
実施形態３０．以下をさらに含む、前の２つの実施形態の方法：
−ＵＥにおいて、クライアントアプリケーションを実行し、それによって送信されることになるユーザデータを提供することと、
−ホストコンピュータにおいて、クライアントアプリケーションと関連するホストアプリケーションを実行すること。
【０２２１】
実施形態３１．以下をさらに含む、前の３つの実施形態の方法：
−ＵＥにおいて、クライアントアプリケーションを実行することと、
−ＵＥにおいて、クライアントアプリケーションへの入力データを受信することであり、入力データは、クライアントアプリケーションと関連するホストアプリケーションを実行することによって、ホストコンピュータにおいて提供される、こと、
−そこで、送信されることになるユーザデータは、入力データに応答して、クライアントアプリケーションによって提供される。
【０２２２】
実施形態３２．ユーザ機器（ＵＥ）から基地局への送信に由来するユーザデータを受信するように設定された通信インターフェースを備えたホストコンピュータを含む通信システム、そこで、基地局は、無線インターフェース及び処理回路を備え、基地局の処理回路は、グループＢ実施形態のうちのいずれかの実施形態のステップのうちのいずれかのステップを実行するように設定される。
【０２２３】
実施形態３３．基地局をさらに含む、前の実施形態の通信システム。
【０２２４】
実施形態３４．ＵＥをさらに含む、前の２つの実施形態の通信システム、そこで、ＵＥは、基地局と通信するように設定される。
【０２２５】
実施形態３５．前の３つの実施形態の通信システム、そこでは：
−ホストコンピュータの処理回路は、ホストアプリケーションを実行するように設定され、
−ＵＥは、ホストアプリケーションと関連するクライアントアプリケーションを実行するように設定され、それによって、ホストコンピュータによって受信されることになるユーザデータを提供する。
【０２２６】
実施形態３６．ホストコンピュータ、基地局及びユーザ機器（ＵＥ）を含む通信システムにおいて実装される方法であって、以下を含む方法：
−ホストコンピュータにおいて、基地局がＵＥから受信した送信に由来するユーザデータを基地局から受信すること、そこで、ＵＥは、グループＡ実施形態のうちのいずれかの実施形態のステップのうちのいずれかのステップを実行する。
【０２２７】
実施形態３７．基地局において、ＵＥからユーザデータを受信することをさらに含む、前の実施形態の方法。
【０２２８】
実施形態３８．基地局において、受信されたユーザデータのホストコンピュータへの送信を開始することをさらに含む、前の２つの実施形態の方法。
【０２２９】
略語
以下の略語のうちの少なくともいくつかが、本開示において使用され得る。略語の間に不一致がある場合には、それが前述でどのように使用されているかを優先すべきである。以下に複数回記載されている場合、第１の記載はいずれの後続の記載よりも優先されるべきである。
１ｘ  ＲＴＴ    ＣＤＭＡ２０００  １ｘ無線送信技術
３ＧＰＰ        第３世代パートナーシッププロジェクト
５Ｇ            第５世代
ＡＢＳ          オールモストブランクサブフレーム
ＡＲＱ          自動リピート要求
ＡＷＧＮ        加算性白色ガウス雑音
ＢＣＣＨ        ブロードキャスト制御チャンネル
ＢＣＨ          ブロードキャストチャンネル
ＣＡ            キャリアアグリゲーション
ＣＣ            キャリア構成要素
ＣＣＣＨ  ＳＤＵ    共通の制御チャンネルＳＤＵ
ＣＤＭＡ        コード分割多重アクセス
ＣＧＩ          セルグローバル識別子
ＣＩＲ          チャンネルインパルス応答
ＣＰ            サイクリックプレフィックス
ＣＰＩＣＨ      共通パイロットチャンネル
ＣＰＩＣＨ      Ｅｃ／Ｎｏ    帯域内の電力密度によって分けられたチップごとのＣＰＩＣＨ受信エネルギ
ＣＱＩ          チャンネル品質情報
Ｃ−ＲＮＴＩ    セルＲＮＴＩ
ＣＳＩ          チャンネル状態情報
ＤＣＣＨ        専用制御チャンネル
ＤＬ            ダウンリンク
ＤＭ            復調
ＤＭＲＳ        復調参照信号
ＤＲＸ          間欠受信
ＤＴＸ          間欠送信
ＤＴＣＨ        専用トラフィックチャンネル
ＤＵＴ          被試験デバイス
Ｅ−ＣＩＤ      拡張セルＩＤ（位置決め方法）
Ｅ−ＳＭＬＣ    エボルブドサービングモバイルロケーションセンタ
ＥＣＧＩ        エボルブドＣＧＩ
ｅＮＢ          Ｅ−ＵＴＲＡＮ  ＮｏｄｅＢ
ｅＰＤＣＣＨ    拡張物理ダウンリンク制御チャンネル
Ｅ−ＳＭＬＣ    エボルブドサービングモバイルロケーションセンタ
Ｅ−ＵＴＲＡ    エボルブドＵＴＲＡ
Ｅ−ＵＴＲＡＮ    エボルブドＵＴＲＡＮ
ＦＤＤ          周波数分割複信
ＦＦＳ          要研究
ＧＥＲＡＮ      ＧＳＭ  ＥＤＧＥ無線アクセスネットワーク
ｇＮＢ          ＮＲにおける基地局
ＧＮＳＳ        グローバル航行衛星システム
ＧＳＭ          グローバルシステムフォーモバイルコミュニケーション
ＨＡＲＱ        ハイブリッド自動リピート要求
ＨＯ            ハンドオーバ
ＨＳＰＡ        高速パケットアクセス
ＨＲＰＤ        高速パケットデータ
ＬＯＳ          見通し線
ＬＰＰ          ＬＴＥ位置決めプロトコル
ＬＴＥ          ロングタームエボリューション
ＭＡＣ          メディアアクセスコントロール
ＭＢＭＳ        マルチメディアブロードキャストマルチキャストサービス
ＭＢＳＦＮ      マルチメディアブロードキャストマルチキャストサービス単一周波数ネットワーク
ＭＢＳＦＮ  ＡＢＳ    ＭＢＳＦＮオールモストブランクサブフレーム
ＭＤＴ          ドライブテストの最小化
ＭＩＢ          マスタ情報ブロック
ＭＭＥ          可動性管理エンティティ
ＭＳＣ          モバイル交換局
ＮＰＤＣＣＨ    狭帯域物理ダウンリンク制御チャンネル
ＮＲ            新無線
ＯＣＮＧ        ＯＦＤＭＡチャンネル雑音発生器
ＯＦＤＭ        直交周波数分割多重
ＯＦＤＭＡ      直交周波数分割多重アクセス
ＯＳＳ          オペレーションサポートシステム
ＯＴＤＯＡ      到達の観測時間差
Ｏ＆Ｍ          運用及び保守
ＰＢＣＨ        物理ブロードキャストチャンネル
Ｐ−ＣＣＰＣＨ    プライマリ共通コントロール物理チャンネル
ＰＣｅｌｌ      プライマリセル
ＰＣＦＩＣＨ    物理コントロールフォーマットインジケータチャンネル
ＰＤＣＣＨ      物理ダウンリンク制御チャンネル
ＰＤＰ          プロファイル遅延プロファイル
ＰＤＳＣＨ      物理ダウンリンク共有チャンネル
ＰＧＷ          パケットゲートウェイ
ＰＨＩＣＨ      物理ハイブリッド自動再送要求指示チャンネル
ＰＬＭＮ        公衆地上移動体通信網
ＰＭＩ          プリコーダマトリクスインジケータ
ＰＲＡＣＨ      物理ランダムアクセスチャンネル
ＰＲＳ          位置決め参照信号
ＰＳＳ          プライマリ同期信号
ＰＵＣＣＨ      物理アップリンク制御チャンネル
ＰＵＳＣＨ      物理アップリンク共有チャンネル
ＲＡＣＨ        ランダムアクセスチャンネル
ＱＡＭ          直交振幅変調
ＲＡＮ          無線アクセスネットワーク
ＲＡＴ          無線アクセス技術
ＲＬＭ          無線リンク管理
ＲＮＣ          無線ネットワークコントローラ
ＲＮＴＩ        無線ネットワーク一時識別子
ＲＲＣ          無線資源制御
ＲＲＭ          無線資源管理
ＲＳ            参照信号
ＲＳＣＰ        受信信号コード電力
ＲＳＲＰ        参照シンボル受信電力又は参照信号受信電力
ＲＳＲＱ        参照信号受信品質又は参照シンボル受信品質
ＲＳＳＩ        受信信号強度インジケータ
ＲＳＴＤ        参照信号時間差
ＳＣＨ          同期チャンネル
ＳＣｅｌｌ      ２次セル
ＳＤＵ          サービスデータユニット
ＳＦＮ          システムフレーム番号
ＳＧＷ          サービングゲートウェイ
ＳＩ            システム情報
ＳＩＢ          システム情報ブロック
ＳＮＲ          信号対雑音比
ＳＯＮ          自己最適化ネットワーク
ＳＳ            同期信号
ＳＳＳ          ２次同期信号
ＴＤＤ          時分割複信
ＴＤＯＡ        到達時間差
ＴＯＡ          到達時間
ＴＳＳ          ３次同期信号
ＴＴＩ          送信時間間隔
ＵＥ            ユーザ機器
ＵＬ            アップリンク
ＵＭＴＳ        ユニバーサルモバイルテレコミュニケーションシステム
ＵＳＩＭ        汎用加入者識別モジュール
ＵＴＤＯＡ      アップリンク到達時間差
ＵＴＲＡ        ユニバーサル地上無線アクセス
ＵＴＲＡＮ      ユニバーサル地上無線アクセスネットワーク
ＷＣＤＭＡ      ワイドＣＤＭＡ
ＷＬＡＮ        ワイドローカルエリアネットワーク
【図１】
2021514124.tif 000014
【図２】
2021514124.tif 000015
【図３】
2021514124.tif 000016
【図４Ａ】
2021514124.tif 000017
【図４Ｂ】
2021514124.tif 000018
【図５】
2021514124.tif 000019
【図６】
2021514124.tif 000020
【図７】
2021514124.tif 000021
【図８】
2021514124.tif 000022
【図９】
2021514124.tif 000023
【図１０】
2021514124.tif 000024
【図１１】
2021514124.tif 000025
【図１２】
2021514124.tif 000026
【図１３】
2021514124.tif 000027
【図１４】
2021514124.tif 000028
【図１５】
2021514124.tif 000029
【図１６】
2021514124.tif 000030
【図１７】
2021514124.tif 000031
【図１８】
2021514124.tif 000032
【図１９】
2021514124.tif 000033
【図２０】
2021514124.tif 000034
【図２１】
2021514124.tif 000035
【図２２】
2021514124.tif 000036
【図２３】
2021514124.tif 000037
【図２４】
2021514124.tif 000038
【図２５】
2021514124.tif 000039
【図２６】
2021514124.tif 000040
【国際調査報告】
2021514124.tif 000041
2021514124.tif 000042
2021514124.tif 000043
2021514124.tif 000044